【事件の表示】
　特許第２８９３０８０号「画像処理方法及び装置並びにそれを用いた複写機，スキャナー，プリンター」の請求項１ないし１０に係る特許に対する特許異議の申立てについて、次のとおり決定する。
【結　論】
　訂正を認める。
　特許第２８９３０８０号の請求項１ないし６に係る特許を維持する。
【理　由】
１．手続の経緯
　本件特許第２８９３０８０号に係る出願は、平成６年５月１３日（優先権主張平成６年２月２５日）の出願であって、平成１１年３月５日に特許の設定登録がされ、その後その特許請求の範囲における請求項１〜１０に係る発明について、異議申立人大木一己により特許異議の申立がなされ、取消理由通知がなされ、その指定期間である平成１２年８月４日に訂正請求がなされたものである。
２．訂正の適否についての判断
　ア、訂正明細書の請求項１〜６に係る発明
　訂正事項は、特許請求の範囲の請求項１〜１０のうち、１乃至３項及び６項を削除し、請求項４，５及び７〜１０を、その項数を繰り上げ改めて１〜６とするものである。
　訂正明細書の請求項１〜６に係る発明は、その特許請求の範囲の請求項１〜６に記載された次の事項により特定されるとおりのものである。
　【請求項１】
　「与えられた画像が検出対象物である複写禁止物か否かを検出する画像処理装置における処理方法であって、
　前記与えられた画像データ中に存在する、予め記憶したマークと同一形状のマークを検出するとともにその存在位置をマーク位置記憶メモリに記憶し、
　次いで、前記マーク位置記憶メモリに記憶した前記同一形状のマークの存在位置データに基づいて、複数の前記同一形状のマークで構成された、前記検出対象物を特定するための特定パターンが入るウィンドを前記マーク位置記憶メモリ上の存在位置情報に対して走査し、前記ウィンド内に設定した予め記憶したある図形の外周を切出し、その切出した部分に存在する前記同一形状のマークの数と、前記ある図形の外周上に配置される前記同一形状のマーク相互の相対的存在位置を求め、
　その求めた前記同一形状のマークの総数と前記相対的存在位置から、前記複数の前記同一形状のマークで構成された特定パターンが前記画像データ中に存在するか否かを判定するようにした画像処理方法。」
　【請求項２】
　「与えられた画像が検出対象物である複写禁止物か否かを検出する画像処理装置であって、
　前記与えられた画像データ中に検出対象の所定位置に形成される、予め記憶したマークと同一形状のマークを、前記予め記憶したマークが入る第１ウィンドを前記与えられた画像に対して走査するとともに検出し、マーク位置記憶メモリに記憶するマーク検出手段と、
　前記マーク検出手段により検出し、前記マーク位置記憶メモリに記憶された前記同一形状のマークの位置情報を受け、複数の前記同一形状のマークで構成された、前記検出対象物を特定するための前記検出対象物を特定するための特定パターンが入る第２ウィンドを前記マーク位置記憶メモリに記憶された存在位置に対して走査し、前記第２ウィンド内に設定した予め記憶したある図形の外周を切出し、その切出した部分に存在する所定数の前記同一形状のマークの数と、前記ある図形の外周上に配置される前記同一形状のマーク相互の相対的存在位置を求め、その求めた前記同一形状のマークの総数と前記相対的存在位置から、前記特定パターンの存在の有無を判定する特定パターン検知手段とを備えた画像処理装置。」
　【請求項３】
　「与えられた画像が検出対象物である複写禁止物か否かを検出する画像処理装置であって、前記与えられた画像データ中に検出対象の所定位置に形成される、予め記憶したマークと同一形状のマークを、前記予め記憶したマークが入る第１ウィンドを前記与えられた画像に対して走査するとともに検出し、マーク位置記憶メモリに記憶するマーク検出手段と、
　前記マーク検出手段により検出し、前記マーク位置記憶メモリに記憶された前記同一形状のマークの位置情報を受け、複数の前記同一形状のマークで構成された、前記検出対象物を特定するための前記検出対象物を特定するための特定パターンが入る第２ウィンドを前記マーク位置記憶メモリに記憶された存在位置に対して走査し、前記第２ウィンド内に設定した予め記憶したある図形の外周上に存在する前記同一形状のマークの存在位置に基づいて、前記特定パターンの存在の有無を判定する特定パターン検知手段を備え、
　前記特定パターン検知手段が、少なくとも前記検出されたマークの数に基づいて特定パターンらしさの適合度を算出する適合度算出手段と、
　前記適合度算出手段により算出された適合度が一定値以上の時に、予め用意した基準パターンとのパターンマッチングを行い所望の特定パターンの検出を行うマッチング手段を備えた画像処理装置。」
　【請求項４】
　「少なくとも原稿を読み取る手段と、その読み取る手段に接続され、その読み取った画像データを印刷するための信号に変換する色信号変換手段と、その色信号変換手段からの出力を受け、所定の印刷処理を行う印刷手段とを備えた複写機において、
　前記請求項２または３に示す画像処理装置を搭載するとともに、前記原稿を読み取る手段から出力される画像データを前記色信号変換手段と並列に前記画像処理装置に入力させ、
　かつ、前記画像処理装置は、所定のスキャンで得られた画像データに基づいて前記特定パターンの検出処理を行い、複写処理中の原稿中に前記特定パターンが存在するか否かを判断し、少なくとも前記特定パターンを有すると判断した時には前記複写機の所定の処理手段に対し制御信号を送り、複写をコントロールするようにした複写機。」
　【請求項５】
　「原稿を読み取る入力手段と、その入力手段に接続され、その読み取った画像データに対し所定の画像変換処理を行う制御手段と、その制御手段の出力を受け、接続された出力装置に対してデータを出力する出力手段とを備えたスキャナーにおいて、
　前記請求項２または３に示す画像処理装置を搭載するとともに、前記入力手段から出力される画像データを前記制御手段と並列に前記画像処理装置に入力させ、
　かつ、前記画像処理装置は、与えられた画像データに基づいて前記所定の特定パターンの検出処理を行い、読み取り処理している前記原稿中に前記特定パターンが存在するか否かを判断し、少なくとも前記特定パターンを有すると判断した時には前記スキャナーの所定の処理手段に対し制御信号を送り、読み取り処理をコントロールするようにしたスキャナー。」
　【請求項６】
　「与えられた画像データ情報に対し所定の画像変換処理を行う制御手段と、その制御手段の出力を受け、所定の印刷処理を行う出力手段とを備えたプリンターにおいて、
　前記請求項２または３に示す画像処理装置を搭載するとともに、プリンターに入力される画像データを前記出力手段と並列に前記画像処理装置に入力させ、
　かつ、前記画像処理装置は、与えられた画像データに基づいて前記所定の特定パターンの検出処理を行い、読み取り処理している前記原稿中に前記特定パターンが存在するか否かを判断し、少なくとも前記特定パターンを有すると判断した時には前記プリンターの所定の処理手段に対し制御信号を送り、出力処理をコントロールするようにしたプリンター。」
　イ．訂正の目的の適否、新規事項の有無及び拡張・変更の存否
　上記訂正は、特許請求の範囲の減縮に該当し、新規事項の追加に該当せず、実質的に特許請求の範囲を拡張又は変更するものではない。
　ウ．独立特許要件の判断
　訂正明細書の請求項１〜６に係る発明に対して当審が通知した取消理由で引用した刊行物１（特開平４−３１３１６７号公報）には、
　２値化及び細線化された画像データ中に存在する端点、分岐点、交差点などの同一の特徴を有する特徴点を求め、各特徴点の位置をメモリ５に記憶し、半径Ｖ１とＶ２により定まる範囲における周辺特徴点の数を求め、これら各特徴点の総数から画像データ中に、登録されている指紋が存在するか否かを判定する発明が記載されている。
　また、同刊行物２（特開平０６−７０１５５号公報）には、
　入力した画像データの内容が紙幣、有価証券当の特殊原稿であるか否かを判別する機能を有する複写機において、原稿が紙幣等特殊原稿である場合には、複写を停止する発明が記載されている。
　（対比・判断）
　（１）訂正明細書の請求項１に係る発明と上記刊行物１及び２に記載の発明とを対比すると、両刊行物に記載の発明は、訂正明細書の請求項１に係る発明を特定する事項である「前記与えられた画像データ中に存在する、予め記憶したマークと同一形状のマークを検出するとともにその存在位置をマーク位置記憶メモリに記憶し」、そして「前記マーク位置記憶メモリに記憶した前記同一形状のマークの存在位置データに基づいて、複数の前記同一形状のマークで構成された、前記検出対象物を特定するための特定パターンが入るウィンドを前記マーク位置記憶メモリ上の存在位置情報に対して走査し、前記ウィンド内に設定した予め記憶したある図形の外周を切出し、その切出した部分に存在する前記同一形状のマークの数と、前記ある図形の外周上に配置される前記同一形状のマーク相互の相対的存在位置を求め、その求めた前記同一形状のマークの総数と前記相対的存在位置から、前記複数の前記同一形状のマークで構成された特定パターンが前記画像データ中に存在するか否かを判定する」事項を備えていない。
　（２）訂正明細書の請求項２に係る発明と上記刊行物１及び２に記載の発明とを対比すると、両刊行物に記載の発明は、訂正明細書の請求項２に係る発明を特定する事項である「前記与えられた画像データ中に検出対象の所定位置に形成される、予め記憶したマークと同一形状のマークを、前記予め記憶したマークが入る第１ウィンドを前記与えられた画像に対して走査するとともに検出し、マーク位置記憶メモリに記憶するマーク検出手段」と「前記マーク検出手段により検出し、前記マーク位置記憶メモリに記憶された前記同一形状のマークの位置情報を受け、複数の前記同一形状のマークで構成された、前記検出対象物を特定するための前記検出対象物を特定するための特定パターンが入る第２ウィンドを前記マーク位置記憶メモリに記憶された存在位置に対して走査し、前記第２ウィンド内に設定した予め記憶したある図形の外周を切出し、その切出した部分に存在する所定数の前記同一形状のマークの数と、前記ある図形の外周上に配置される前記同一形状のマーク相互の相対的存在位置を求め、その求めた前記同一形状のマークの総数と前記相対的存在位置から、前記特定パターンの存在の有無を判定する特定パターン検知手段」とを備えていない。
　（３）訂正明細書の請求項３に係る発明と上記刊行物１及び２に記載の発明とを対比すると、両刊行物に記載の発明は、訂正明細書の請求項３に係る発明を特定する事項である「前記与えられた画像データ中に検出対象の所定位置に形成される、予め記憶したマークと同一形状のマークを、前記予め記憶したマークが入る第１ウィンドを前記与えられた画像に対して走査するとともに検出し、マーク位置記憶メモリに記憶するマーク検出手段」と「前記マーク検出手段により検出し、前記マーク位置記憶メモリに記憶された前記同一形状のマークの位置情報を受け、複数の前記同一形状のマークで構成された、前記検出対象物を特定するための前記検出対象物を特定するための特定パターンが入る第２ウィンドを前記マーク位置記憶メモリに記憶された存在位置に対して走査し、前記第２ウィンド内に設定した予め記憶したある図形の外周上に存在する前記同一形状のマークの存在位置に基づいて、前記特定パターンの存在の有無を判定する特定パターン検知手段」と「前記特定パターン検知手段が、少なくとも前記検出されたマークの数に基づいて特定パターンらしさの適合度を算出する適合度算出手段」と「前記適合度算出手段により算出された適合度が一定値以上の時に、予め用意した基準パターンとのパターンマッチングを行い所望の特定パターンの検出を行うマッチング手段」とを備えていない。
　（４）訂正明細書の請求項４に係る発明と上記刊行物１及び２に記載の発明とを対比すると、両刊行物に記載の発明は、訂正明細書の請求項４に係る発明を特定する事項である「前記請求項２または３に示す画像処理装置を搭載するとともに、前記原稿を読み取る手段から出力される画像データを前記色信号変換手段と並列に前記画像処理装置に入力させ、かつ、前記画像処理装置は、所定のスキャンで得られた画像データに基づいて前記特定パターンの検出処理を行い、複写処理中の原稿中に前記特定パターンが存在するか否かを判断し、少なくとも前記特定パターンを有すると判断した時には前記複写機の所定の処理手段に対し制御信号を送り、複写をコントロールする」事項を備えていない。
　（５）訂正明細書の請求項５に係る発明と上記刊行物１及び２に記載の発明とを対比すると、両刊行物に記載の発明は、訂正明細書の請求項５に係る発明を特定する事項である「前記請求項２または３に示す画像処理装置を搭載するとともに、前記入力手段から出力される画像データを前記制御手段と並列に前記画像処理装置に入力させ、かつ、前記画像処理装置は、与えられた画像データに基づいて前記所定の特定パターンの検出処理を行い、読み取り処理している前記原稿中に前記特定パターンが存在するか否かを判断し、少なくとも前記特定パターンを有すると判断した時には前記スキャナーの所定の処理手段に対し制御信号を送り、読み取り処理をコントロールする」事項を備えていない。
　（６）訂正明細書の請求項６に係る発明と上記刊行物１及び２に記載の発明とを対比すると、両刊行物に記載の発明は、訂正明細書の請求項６に係る発明を特定する事項である「前記請求項２または３に示す画像処理装置を搭載するとともに、プリンターに入力される画像データを前記出力手段と並列に前記画像処理装置に入力させ、かつ、前記画像処理装置は、与えられた画像データに基づいて前記所定の特定パターンの検出処理を行い、読み取り処理している前記原稿中に前記特定パターンが存在するか否かを判断し、少なくとも前記特定パターンを有すると判断した時には前記プリンターの所定の処理手段に対し制御信号を送り、出力処理をコントロールする」事項を備えていない。
　上記各事項により、本件請求項１〜６に係る発明は、「複写（印刷）禁止物等の全体（外形状）の大きさに関係なく、その物体の一部に有する特定パターンに着目し、その特定パターンを有するか否かにより検出を行うため、使用するメモリ容量が少なくて済み、コスト安となる。しかも、１回のスキャンで特定パターンの位置を正確に検出し、その後に行うスキャン或いは同時に行っているスキャン時に特定パターンを切り出して、所定の判定処理を行うことができる。また、位置決め用マークの周囲にそれと同一または類似のダミーマークを配置するようにした場合には、人間がみて、本物の位置決め用マークの特定が困難となり、改竄される可能性が可及的に減少する。そして、特定パターンを位置決め用マークと同一または類似のマークで構成した場合には、係る改竄抑制効果がより向上するとともに、複数種の検出対象物に共通の特定パターンとすることができ、係る場合には、その共通の特定パターンに対する知識を有しておくだけで、現像する複数種の検出対象物はもちろんのこと、その後に出現する新たな複写等禁止物に対しても係る複写等禁止物にその特定パターンを付すだけで検出することができ、しかも記憶保持する知識は少なくて済むので、メモリ容量の削減並びに処理対象のパターンが少なくて済むため高速処理が可能となる。また、３個以上の位置決め用マークを所定位置に配置し、それらを結ぶ線により形成される形状が二等辺三角形或いは非対象形状であれば、各マークの位置から特定パターンの存在位置が一義的で簡単かつ正確に求めることができるので、その後の特定パターンか否かの判定が高速に行える。さらに、位置決め用マーク検出手段が、与えられた画像データを２値化する２値化処理手段と、２値化データに対してｎ×ｍに分割されたマスクを用いて検索する検索手段とから構成した場合には、簡単な回路（ハードウエア）で検出が可能であるので、さらなる高速処理が可能となる。そして、位置決め用マークは小さくて済むので、ハードウエアで構成してもさほど大型・複雑化しない。さらに照合手段を類似度演算、より具体的にファジィ推論により行うようにした場合には、特定パターンの位置ずれや印刷むらなどにより基準としたパターンと実際の原稿上に存在するパターンにずれがあっても、確実に認識することができる。そして、同様の理由から、位置決め用マークと特定パターンとの距離を離しても、ファジィ推論（ファジィパターンマッチング）を用いると、位置決め精度の低下による悪影響（認識率低下）を生じない。また、前記照合手段を、切り出された領域をＮ分割するとともに分割された各セルの濃度判定結果からデコードし、前記デコードされた情報が予め求めた検出対象の基準コード情報と一致するか否かを判定するようにした場合には、一致した場合に検出信号を出力するような比較手段で構成することができ、構成が簡単で、高速判定処理できる。また、位置決め用マークを用いずに同一の複数のマークを所定の位置関係に配置して特定パターンを構成した場合には、上記した各種の効果に加え、マーク検知手段でのマークの検出処理は、上記した位置決め用マークの検出とほぼ同一の処理により行え、マーク自体の効果は、上記した位置決め用マ���クのそれと同様のものを発揮することができる。そして、係る画像処理装置を複写機，スキャナー，プリンターに実装することにより、紙幣，有価証券等の複写等禁止物に対し、確実にその複写物の出力を禁止（複写自体を行わない，原稿（複写禁止物）と異なる画像を複写・出力する等）し、また、係る原稿の読み取りや印刷を停止することができる。」という明細書記載の顕著な効果を奏するものであり、訂正明細書の請求項１〜６に係る発明が上記刊行物１及び２に記載の発明から当業者が容易に発明をすることができたものとはいえない。
　したがって、訂正明細書の請求項１〜６に係る発明は特許出願の際独立して特許を受けることができるものである。
　エ．むすび
　以上のとおりであるから、上記訂正は、特許法第１２０条の４第２項及び同条第３項で準用する第１２６条第２−４項の規定に適合するので、当該訂正を認める。
３．特許異議の申立についての判断
　ア．申立の理由に概要
　申立人大木一己は、訂正明細書の請求項１〜６に係る発明は、甲第１号証（特開平４−３１３１６７号公報）及び甲第２号証（特開平６−７０１５５号公報）に記載された発明に基いて当業者が容易に発明をすることができたものであり、特許法第２９条第２項の規定により、特許を受けることができないものであるから、特許を取り消すべきと主張している。
　イ．判断
　申立人が提出する甲第１号証及び甲第２号証は、上記刊行物１及び２と同じものであり、訂正明細書の請求項１〜６に係る発明は、上記２．のウ．で示した理由と同じ理由により当業者が容易に発明をすることができたものとすることはできない。
　また、他に訂正明細書の請求項１〜６に係る発明の特許を取り消すべき理由を発見しない。
　よって、結論のとおり決定する。
【異議決定日】
平成１２年８月３１日（２０００．８．３１）
【訂正の要旨】
訂正の要旨
▲１▼明細書中の特許請求の範囲の請求項１から１０において、特許請求の範囲の減縮を目的として、もとの請求項１〜３並びに６を削除し、以下項数を繰り上げ１〜６と訂正する。
　（ｉ）訂正事項ａ
　特許請求の範囲の請求項１を特許請求の範囲の滅縮並びに不明瞭な記載の釈明を目的として次の文章に訂正する。
　「与えられた画像が検出対象物である複写禁止物か否かを検出する画像処理装置における処理方法であって、
　前記与えられた画像データ中に存在する、予め記憶したマークと同一形状のマークを検出するとともにその存在位置をマーク位置記憶メモリに記憶し、
　次いで、前記マーク位置記憶メモリに記憶した前記同一形状のマークの存在位置データに基づいて、複数の前記同一形状のマークで構成された、前記検出対象物を特定するための特定パターンが入るウィンドを前記マーク位置記憶メモリ上の存在位置情報に対して走査し、前記ウインド内に設定した予め記憶したある図形の外周を切出し、その切出した部分に存在する前記同一形状のマークの数と、前記ある図形の外周上に配置される前記同一形状のマーク相互の相対的存在位置を求め、
　その求めた前記同一形状のマークの総数と前記相対的存在位置から、前記複数の前記同一形状のマークで構成された特定パターンが前記画像データ中に存在するか否かを判定するようにした画像処理方法。」
　（ｉｉ）訂正事項ｂ
　特許請求の範囲の請求項２を特許請求の範囲の減縮並びに不明瞭な記載の釈明を目的として次の文章に訂正する。
　「与えられた画像が検出対象物である複写禁止物か否かを検出する画像処理装置であって、
　前記与えられた画像データ中に検出対象の所定位置に形成される、予め記憶したマークと同一形状のマークを、前記予め記憶したマークが入る第１ウィンドを前記与えられた画像に対して走査するとともに検出し、マーク位置記憶メモリに記憶するマーク検出手段と、
　前記マーク検出手段により検出し、前記マーク位置記憶メモリに記憶された前記同一形状のマークの位置情報を受け、複数の前記同一形状のマークで構成された、前記検出対象物を特定するための前記検出対象物を特定するための特定パターンが入る第２ウィンドを前記マーク位置記憶メモリに記憶された存在位置に対して走査し、前記第２ウィド内に設定した予め記憶したある図形の外周を切出し、その切出した部分に存在する所定数の前記同一形状のマークの数と、前記ある図形の外周上に配置される前記同一形状のマーク相互の相対的存在位置を求め、その求めた前記同一形状のマークの総数と前記相対的存在位置から、前記特定パターンの存在の有無を判定する特定パターン検知手段とを備えた画像処理装置。」
　（ｉｉｉ）訂正事項ｃ
　特許請求の範囲の請求項３を特許請求の範囲の減縞並びに不明瞭な記載の釈明を目的として次の文章に訂正する。
　「与えられた画像が検出対象物である複写禁止物か否かを検出する画像処理装置であって、
　前記与えられた画像データ中に検出対象の所定位置に形成される、予め記憶したマークと同一形状のマークを、前記予め記憶したマークが入る第１ウィンドを前記与えられた画像に対して走査するとともに検出し、マーク位置記憶メモリに記憶するマーク検出手段と、
　前記マーク検出手段により検出し、前記マーク位置記憶メモリに記憶された前記同一形状のマークの位置情報を受け、複数の前記同一形状のマークで構成された、前記検出対象物を特定するための前記検出対象物を特定するための特定パターンが入る第２ウィンドを前記マーク位置記憶メモリに記憶された存在位置に対して走査し、前記第２ウィンド内に設定した予め記憶したある図形の外周上に存在する前記同一形状のマークの存在位置に基づいて、前記特定パターンの存在の有無を判定する特定パターン検知手段を備え、
　前記特定パターン検知手段が、少なくとも前記検出されたマークの数に基づいて特定パターンらしさの適合度を算出する適合度算出手段と、
　前記適合度算出手段により算出された適合度が一定値以上の時に、予め用意した基準パターンとのパターンマッチングを行い所望の特定パターンの検出を行うマッチング手段を備えた画像処理装置。」
　（ｉｖ）訂正事項ｄ
　特許請求の範囲の請求項４を特許請求の範囲の減縮を目的として次の文章に訂正する。
　「少なくとも原稿を読み取る手段と、その読み取る手段に接続され、その読み取った画像データを印刷するための信号に変換する色信号変換手段と、その色信号変換手段からの出力を受け、所定の印刷処理を行う印刷手段とを備えた複写機において、
　前記請求項２または３に示す画像処理装置を搭載するとともに、前記原稿を読み取る手段から出力される画像データを前記色信号変換手段と並列に前記画像処理装置に入力させ、
　かつ、前記画像処理装置は、所定のスキャンで得られた画像データに基づいて前記特定パターンの検出処理を行い、複写処理中の原稿中に前記特定パターンが存在するか否かを判断し、少なくとも前記特定パターンを有すると判断した時には前記複写機の所定の処理手段に対し制御信号を送り、複写をコントロールするようにした複写機。」
　（ｖ）訂正事項ｅ
　特許請求の範囲の請求項５を特許請求の範囲の減縞を目的として次の文章に訂正する。
　「原稿を読み取る入力手段と、その入力手段に接続され、その読み取った画像データに対し所定の画像変換処理を行う制御手段と、その制御手段の出力を受け、接続された出力装置に対してデータを出力する出力手段とを備えたスキャナーにおいて、
　前記請求項２または３に示す画像処理装置を搭載するとともに、前記入力手段から出力される画像データを前記制御手段と並列に前記画像処理装置に入力させ、
　かつ、前記画像処理装置は、与えられた画像データに基づいて前記所定の特定パターンの検出処理を行い、読み取り処理している前記原稿中に前記特定パターンが存在するか否かを判断し、少なくとも前記特定パターンを有すると判断した時には前記スキャナーの所定の処理手段に対し制御信号を送り、読み取り処理をコントロールするようにしたスキャナー。」
　（ｖｉ）訂正事項ｆ
　特許請求の範囲の請求項６を特許請求の範囲の減縮を目的として次の文章に訂正する。
　「与えられた画像データ情報に対し所定の画像変換処理を行う制御手段と、その制御手段の出力を受け、所定の印刷処理を行う出力手段とを備えたプリンターにおいて、
　前記請求項２または３に示す画像処理装置を搭載するとともに、プリンターに　入力される画像データを前記出力手段と並列に前記画像処理装置に入力させ、
　かつ、前記画像処理装置は、与えられた画像データに基づいて前記所定の特定パターンの検出処理を行い、読み取り処理している前記原稿中に前記特定パターンが存在するか否かを判断し、少なくとも前記特定パターンを有すると判断した　時には前記プリンターの所定の処理手段に対し制御信号を送り、出力処理をコン　トロールするようにしたプリンター。」
　（ｖｉｉ）訂正事項ｇ
　特許請求の範囲の請求項７〜１０を、特許請求の範囲の減縮を目的として削除する。
▲２▼明細書の詳細な説明の欄における訂正事項
　（ｖｉｉｉ）訂正事項ｈ
　明細書の段落番号［００１４］を、不明瞭な記載の釈明を目的として次の文章に訂正する。
　【００１４】
　【課題を解決するための手段】
　上記した目的を達成するために、本発明に係る画像処理方法は、与えられた画像が検出対象物である複写禁止物か否かを検出する画像処理装置における処理方法である。前記与えられた画像データ中に存在する、予め記憶したマークと同一形状のマークを検出するとともにその存在位置をマーク位置記憶メモリに記憶する。
　（ｉｘ）訂正事項ｉ
　明細書の段落番号［００１５］を、不明瞭な記載の釈明を目的として次のの文章に訂正する。
　【００１５】
　次いで、前記マーク位置記憶メモリに記憶した前記同一形状のマークの存在位置データに基づいて、複数の前記同一形状のマークで構成された、前記検出対象物を特定するための特定パターンが入るウインドを前記マーク位置記憶メモリ上　の存在位置情報に対して走査し、前記ウインド内に設定した予め記憶したある図形の外周を切出し、その切出した部分に存在する前記同一形状のマークの数と、前記ある図形の外周上に配置される前記同一形状のマーク相互の相対的存在位置を求める。
　（ｘ）訂正事項ｊ
　明細書の段落番号［００１６］を、不明瞭な記載の釈明を目的として次の文章に訂正する。
　【００１６】
　そして、その求めた前記同一形状のマークの総数と前記相対的存在位置から、前記複数の前記同一形状のマークで構成された特定パターンが前記画像データ中に存在するか否かを判定するようにした。
　（ｘｉ）訂正事項ｋ
　明細書の段落番号［００１７］を、不明瞭な記載の釈明を目的として次の文章に訂正する。
　【００１７】
　そして、上記各種の方法を実施するための装置としては、例えば、与えられた画像が検出対象物である複写禁止物か否かを検出する画像処理装置であって、前記与えられた画像データ中に検出対象の所定位置に形成される、予め記憶したマークと同一形状のマークを、前記予め記憶したマークが入る第１ウィンドを前記与えられた画像に対して走査するとともに検出し、マーク位置記憶メモリに記憶するマーク検出手段と、前記マーク検出手段により検出し、前記マーク位置記憶メモリに記憶された前記同一形状のマークの位置情報を受け、複数の前記同一形状のマークで構成された、前記検出対象物を特定するための前記検出対象物を特　定するための特定パターンが入る第２ウィンドを前記マーク位置記憶メモリに記憶された存在位置に対して走査し、前記第２ウィンド内に設定した予め記憶したある図形の外周を切出し、その切出した部分に存在する所定数の前記同一形状のマークの数と、前記ある図形の外周上に配置される前記同一形状のマーク相互の相対的存在位置を求め、その求めた前記同一形状のマークの総数と前記相対的存　在位置から、前記特定パターンの存在の有無を判定する特定パターン検知手段とを備えるようにすることができる。
　（ｘｉｉ）訂正事項ｌ
　明細書の段落番号［００１８］を、不明瞭な記載の釈明を目的として次の文章に訂正する。
　【００１８】
　また、別の解決手段としては、与えられた画像が検出対象物である複写禁止物か否かを検出する画像処理装置であって、前記与えられた画像データ中に検出対象の所定位置に形成される、予め記憶したマークと同一形状のマークを、前記予め記憶したマークが入る第１ウインドを前記与えられた画像に対して走査するとともに検出し、マーク位置記憶メモリに記憶するマーク検出手段と、前記マーク検出手段により検出し、前記マーク位置記憶メモリに記憶された前記同一形状のマークの位置情報を受け、複数の前記同一形状のマークで構成された、前記検出対象物を特定するための前記検出対象物を特定するための特定パターンが入る第２ウィンドを前記マーク位置記憶メモリに記憶された存在位置に対して走査し、前記第２ウィンド内に設定した予め記憶したある図形の外周上に存在する前記同一形状のマークの存在位置に基づいて、前記特定パターンの存在の有無を判定する特定パターン検知手段を備え、前記特定パターン検知手段が、少なくとも前記　検出されたマークの数に基づいて特定パターンらしさの適合度を算出する適合度　算出手段と、前記適合度算出手段により算出された適合度が一定値以上の時に、予め用意した基準パターンとのパターンマッチングを行い所望の特定パターンの検出を行うマッチング手段を備えるように構成する。
　そして好ましくは、前記特定パターン検知手段が、前記ある図形の外周上から離れるにつれて係数が低くなる重み付けを行い、検出された前記マークの数と、前記マークの存在位置の係数とを考慮して特定パターンの検出を行うようにすることである。
　（ｘｉｉｉ）訂正事項ｍ
　明細書の段落番号［００２０］を、不明瞭な記載の釈明を目的として次の文章に訂正する。
　【００２０】
　そして、所定のスキャンで得られた画像データに基づいて前記所定の特定パターンの検出処理をを行い、複写処理中の原稿中に前記特定パターンが存在するか否かを判断し、少なくとも前記特定パターンを有すると判断した時には前記処理手段に対し制御信号を送り、複写，画像読み取り，出力（プリントアウト）の所定の処理をコントロールするようにした。
（５４）【発明の名称】
画像処理方法及び装置並びにそれを用いた複写機，スキャナー，プリンター
（５７）【特許請求の範囲】
　　【請求項１】　
与えられた画像が検出対象物である複写禁止物か否かを検出する画像処理装置における処理方法であって、
　
前記
予め記憶したマークと同一形状
マーク位置記憶メモリに
　次いで、
前記マーク位置記憶メモリに記憶した前記同一形状のマークの存在位置データに基づいて、複数の前記同一形状のマークで構成された、前記検出対象物を特定するための特定パターンが入るウィンドを前記マーク位置記憶メモリ上の存在位置情報に対して走査し、前記ウィンド内に設定した予め記憶したある図形の外周を切出し、その切出した部分に存在する前記同一形状の
と、前記ある図形の外周上に配置される前記同一形状のマーク相互の相対的存在位置を求め、
　その
求めた前記同一形状の
と前記相対的存在位置から
複数の前記同一形状のマークで構成された
前記画像データ中に
　　【請求項２】　
与えられた画像が検出対象物である複写禁止物か否かを検出する画像処理装置であって、
　
前記
、予め記憶したマークと同一形状の
、前記予め記憶したマークが入る第１ウィンドを前記与えられた画像に対して走査するとともに検出し、マーク位置記憶メモリに記憶する
　前記マーク検出手段により検出し
、前記マーク位置記憶メモリに記憶
同一形状の
複数の前記同一形状のマークで構成された、前記検出対象物を特定するための前記検出対象物を特定するための特定パターンが入る第２ウィンドを前記マーク位置記憶メモリに記憶された存在位置に対して走査し、前記第２ウィンド内に設定した予め記憶したある図形
前記同一形状の
と、前記ある図形の外周上に配置される前記同一形状のマーク相互の相対的存在位置を求め、
求めた前記同一形状の
と前記相対的存在位置から、前記
　　【請求項３】　
与えられた画像が検出対象物である複写禁止物か否かを検出する画像処理装置であって、
　
前記
、予め記憶したマークと同一形状の
、前記予め記憶したマークが入る第１ウィンドを前記与えられた画像に対して走査するとともに検出し、マーク位置記憶メモリに記憶する
　前記マーク検出手段により検出し
、前記マーク位置記憶メモリに記憶
同一形状の
複数の前記同一形状のマークで構成された、前記検出対象物を特定するための前記検出対象物を特定するための特定パターンが入る第２ウィンドを前記マーク位置記憶メモリに記憶された存在位置に対して走査し、前記第２ウィンド内に設定した予め記憶したある図形
在在する前記同一形状のマークの存在位置に基づいて、前記
　前記特定パターン検知手段が、少なくとも前記検出されたマークの数に基づいて特定パターンらしさの適合度を算出する適合度算出手段と、
　前記適合度算出手段により算出された適合度が一定値以上の時に、予め用意した基準パターンとのパターンマッチングを行い所望の特定パターンの検出を行うマッチング手段を備えた画像処理装置。
　【請求項４】　少なくとも原稿を読み取る手段と、その読み取る手段に接続され、その読み取った画像データを印刷するための信号に変換する色信号変換手段と、その色信号変換手段からの出力を受け、所定の印刷処理を行う印刷手段とを備えた複写機において、
　前記請求項
２または３
　かつ、前記画像処理装置は、所定のスキャンで得られた画像データに基づいて前記特定パターンの検出処理を行い、複写処理中の原稿中に前記特定パターンが存在するか否かを判断し、少なくとも前記特定パターンを有すると判断した時には前記複写機の所定の処理手段に対し制御信号を送り、複写をコントロールするようにした複写機。
　　【請求項５】　原稿を読み取る入力手段と、その入力手段に接続され、その読み取った画像データに対し所定の画像変換処理を行う制御手段と、その制御手段の出力を受け、接続された出力装置に対してデータを出力する出力手段とを備えたスキャナーにおいて、
　前記請求項
２または３
　かつ、前記画像処理装置は、与えられた画像データに基づいて前記所定の特定パターンの検出処理を行い、読み取り処理している前記原稿中に前記特定パターンが存在するか否かを判断し、少なくとも前記特定パターンを有すると判断した時には前記スキャナーの所定の処理手段に対し制御信号を送り、読み取り処理をコントロールするようにしたスキャナー。
　【請求項６】　与えられた画像データ情報に対し所定の画像変換処理を行う制御手段と、その制御手段の出力を受け、所定の印刷処理を行う出力手段とを備えたプリンターにおいて、
　前記請求項
２または３
　かつ、前記画像処理装置は、与えられた画像データに基づいて前記所定の特定パターンの検出処理を行い、読み取り処理している前記原稿中に前記特定パターンが存在するか否かを判断し、少なくとも前記特定パターンを有すると判断した時には前記プリンターの所定の処理手段に対し制御信号を送り、出力処理をコントロールするようにしたプリンター。
【発明の詳細な説明】
　　　【０００１】
　　【産業上の利用分野】
　本発明は、紙幣、有価証券等の複写等が禁止されている原稿の読取り，プリントアウト等を防止するために適した画像処理方法及び装置並びにそれを搭載した複写機，スキャナ及びプリンターに関する。
　　　【０００２】
　　【従来の技術】
　近年のフルカラー複写機等の複写装置の開発により、複写画像の画質は原画像と肉眼では見分けが付かないレベルにまで達し、係る忠実な複写物が手軽に得られるようになった。しかし、それにともない紙幣、有価証券等の本来複写が社会的に禁止されているものの偽造に悪用される危険性が増大すると考える必要があり、係る危険性を未然に防止するための偽造防止装置が種々開発されている。そして、その中の一つとして、例えば特開平２−２１０５９１号公報に開示された画像処理装置がある。
　　　【０００３】
　すなわち、係る処理装置は、原稿全面に対して４回スキャンすることにより原稿台上に載置された原画像を読み込むとともに複写処理を行うフルカラーディジタル複写機に搭載されるもので、原稿台上にある原稿が載置されている場合に、１回目のスキャンにより偽造防止しようとする検出対象の紙幣（図４５参照）Ａの透かしＢをもとにその紙幣が存在するであろうおおまかな位置を検出する。
　　　【０００４】
　そして、２回目のスキャン時には、透かしＢの位置に基づいて紙幣の正確な位置並びに置かれている角度（原稿台上における紙幣の正確な位置座標）を検出する。すなわち、検出対象の紙幣Ａの長さ・大きさ・形状は予めわかっているので、所定のしきい値で２値化することにより紙幣Ａのエッジ（ハッチング部分）Ｃを抽出し、これに基づき２つの頂点Ｄの座標（ｘ１，ｙ１），（ｘ２，ｙ２）を求める。
　　　【０００５】
　これにより、傾きθが求まるので、３回目のスキャン時には、２回目のスキャン時に求めた紙幣の正確な位置（原稿の頂点Ｄの座標と角度θ）から、紙幣であれば存在する朱印Ｅの位置座標（ｘ３，ｙ３）を算出し、前記算出した位置座標に基づいてＥ朱印が存在する領域の画像を抽出するとともに、それが朱印であるか否かを判断する。
　　　【０００６】
　このように、３回スキャンを行うことにより検出対象物（この例では紙幣）が原稿台上に載置されているか否かを判定し、紙幣等が原稿台上に載置され複写されようとしていることを検知したなら、４回目のスキャン時に、例えば、画面全体を黒に表示したり、複写を禁止したりする等の所定の偽造防止処理を行うようになっている。
　　　【０００７】
　　【発明が解決しようとする課題】
　しかしながら、上記した従来の装置では、少なくとも検出対象の紙幣等の大きさに相当する非常に大きなメモリ容量が必要となる。そして、このことは必然的に検出可能な紙幣等の種類が少なくなるという問題を生じる。
　　　【０００８】
　また、原稿台上に載置された原稿が、紙幣等の複写禁止物であるか否かの判定を行うために、３回のスキャンを必要とし、しかも、例えば紙幣Ａの頂点Ｄを折るなどの改竄があると、朱印Ｅの位置を求めることができず、その結果処理中の原稿が検出対象の紙幣Ａであることを検出できなくなる。
　　　【０００９】
　また、係る問題を解決するため、例えば図４６（Ａ），（Ｂ）に示すように、特定パターンＥの周囲を囲むようにして広幅の実線或いは破線からなるガイド線Ｆを印刷しておき、そのガイド線Ｆで囲まれた領域の内部を切り出して所定の特定パターンがあるか否かを判定するようにすることが考えられる。すなわち図示のようなこのガイド線Ｆを用いると、他の画像情報との分離が容易であるとともに直線部分を用いて傾きや角度の算出及び頂点座標の算出が容易に行えるので、切り出しが簡単かつ正確に行なえる。
　　　【００１０】
　しかし、係る構成にすると、ガイド線Ｆが目立つ（特徴が大きい）ために、その存在、ひいてはそのガイド線Ｆにより特定される特定パターンＥの存在が容易に視認されてしまう。その結果、ガイド線Ｆや特定パターンＥに対する改竄（余分な線を加えたり、一部を消す等）がされやすくなり、係る改竄により特定パターン自体の認識（切り出し）、或いは特定パターンを認識してもそれが特定パターンと判定されないおそれがある。
　　　【００１１】
　さらに、従来の方式並びに上記ガイド線Ｆを用いる方式では、例えば紙幣の朱印のようにある複写等が禁止された原稿中に存在する図柄の中から特徴量として適した（確実に判別でき、かつ、一般の複写等が禁止されていない原稿中には存在しない）特定パターンを適宜設定し、それとの間でパターンマッチングを行っていたため、国内に限ってみても係る複写等が禁止された原稿の種類が多く、係るすべての原稿を確実に検出しようとすると膨大なメモリ容量と処理時間を必要とし、リアルタイムでの複写処理等という本来の機能が損なわれる。しかも、最終的に複写禁止物と判定するまでに３回のスキャンを必要とし、係る点からも高速処理のネックとなる。
　　　【００１２】
　また、複写機等を製造後に新たな図柄からなる複写等禁止物が現れると、それに対応・検出することができず、検出するためには新たな特徴量を決定し、その複写機等に学習させる必要があり煩雑となる。ましてや外国までその対象を含めると、上記問題はより顕著になる。
　　　【００１３】
　本発明は、上記した背景に鑑みてなされたもので、その目的とするところは、上記した各種の問題を解決することであり、より具体的には原稿中に特定パターンが存在する場合にそれを確実に認識でき、しかもその存在位置も特定でき、それにより特定パターンの切り出し並びに判定を容易かつ正確に行うことができる画像処理方法及び装置並びにそれを用いた複写機，スキャナ，プリンターを提供することにある。他の目的としては、特定パターンの検出・判定のために行うスキャン回数をできるだけ少なく、好ましくは１回で処理できるようにし、さらに他の目的としては、特定パターン自体（特定パターンの位置等を認識するための位置決め用マークがある場合にはその位置決めマークの存在を含む）を当事者以外が特定しにくく、その結果改竄されにくい画像処理方法及び装置並びにそれを用いた複写機等を提供することにある。
　　　【００１４】
　　【課題を解決するための手段】
　上記した目的を達成するために、本発明に係る画像処理方法は、
与えられた画像が検出対象物である複写禁止物か否かを検出する画像処理装置における処理方法である。前記
予め記憶したマークと同一形状
マーク位置記憶メモリに記憶する。
　　　【００１５】
　
次いで、前記マーク位置記憶メモリに記憶した前記同一形状のマークの存在位置データに基づいて、複数の前記同一形状のマークで構成された、前記検出対象物を特定するための特定パターンが入るウィンドを前記マーク位置記憶メモリ上の存在位置情報に対して走査し、前記ウィンド内に設定した予め記憶したある図形の外周を切出し、その切出した部分に存在する前記同一形状のマークの数と、前記ある図形の外周上に配置される前記同一形状のマーク相互の相対的存在位置を求める。
　　　【００１６】
　
そして、その求めた前記同一形状のマークの総数と前記相対的存在位置から、前記複数の前記同一形状のマークで構成された特定パターンが前記画像データ中に存在するか否かを判定するようにした。
　　　【００１７】
　そして、上記各種の方法を実施するための装置としては、例えば、
与えられた画像が検出対象物である複写禁止物か否かを検出する画像処理装置であって、前記
、予め記憶したマークと同一形状の
、前記予め記憶したマークが入る第１ウィンドを前記与えられた画像に対して走査するとともに検出し、マーク位置記憶メモリに記憶する
、前記マーク位置記憶メモリに記憶
同一形状の
複数の前記同一形状のマークで構成された、前記検出対象物を特定するための前記検出対象物を特定するための特定パターンが入る第２ウィンドを前記マーク位置記憶メモリに記憶された存在位置に対して走査し、前記第２ウィンド内に設定した予め記憶したある図形
前記同一形状の
と、前記ある図形の外周上に配置される前記同一形状のマーク相互の相対的存在位置を求め、
求めた前記同一形状の
と前記相対的存在位置から、前記
　　　【００１８】
　
また、別の解決手段としては、与えられた画像が検出対象物である複写禁止物か否かを検出する画像処理装置であって、前記与えられた画像データ中に検出対象の所定位置に形成される、予め記憶したマークと同一形状のマークを、前記予め記憶したマークが入る第１ウィンドを前記与えられた画像に対して走査するとともに検出し、マーク位置記憶メモリに記憶するマーク検出手段と、前記マーク検出手段により検出し、前記マーク位置記憶メモリに記憶された前記同一形状のマークの位置情報を受け、複数の前記同一形状のマークで構成された、前記検出対象物を特定するための前記検出対象物を特定するための特定パターンが入る第２ウィンドを前記マーク位置記憶メモリに記憶された存在位置に対して走査し、前記第２ウィンド内に設定した予め記憶したある図形の外周上に存在する前記同一形状のマークの存在位置に基づいて、前記特定パターンの存在の有無を判定する特定パターン検知手段を備え、前記特定パターン検知手段が、少なくとも前記検出されたマークの数に基づいて特定パターンらしさの適合度を算出する適合度算出手段と、前記適合度算出手段により算出された適合度が一定値以上の時に、予め用意した基準パターンとのパターンマッチングを行い所望の特定パターンの検出を行うマッチング手段を備えるように構成する。
　そして好ましくは、前記特定パターン検知手段が、前記ある図形の外周上から離れるにつれて係数が低くなる重み付けを行い、検出された前記マークの数と、前記マークの存在位置の係数とを考慮して特定パターンの検出を行うようにすることである。
　　　【００１９】
　さらに、本発明に係る複写機，スキャナー，並びにプリンターでは、上記に示すいずれかの画像処理装置を搭載するとともに、複写機が有する原稿を読み取る手段から出力される画像データを色信号変換手段と並列に前記画像処理装置に入力させるようにしたり、スキャナーやプリンターが有する制御手段への入力・出力信号を画像処理装置に並列に入力されるようにした。
　　　【００２０】
　そして、所定のスキャンで得られた画像データに基づいて前記所定の特定パターンの検出処理をを行い、複写処理中の原稿中に前記特定パターンが存在するか否かを判断し、少なくとも前記特定パターンを有すると判断した時には前記処理手段に対し制御信号を送り、複写，画像読み取り，出力（プリントアウト）の所定の処理をコントロールするようにし
た。
　　　【００２１】
　　【作用】
　また、同一の複数のマークを所定の位置関係に配置して特定パターンを構成した場合には、マーク検知手段でのマークの検出処理は、与えられた画像データ中にマークが存在するか否かを監視し、マークが検出されたなら、その位置座標データを取得する。そして、特定パターンは、ある図形の外周上に所定数のマークが配置されて構成されることを基本としているので、特定パターン検知手段では、ある図形の外周上に存在するマークの数をカウントし、その値が所定数（上下に一定のマージンを設けてもよい）になっているか否かを判定することにより、簡単に特定パターンの有無を判定でき、リアルタイムでの判定が可能となる。
　　　【００２２】
　また、判定基準となる所定数が複数種あると、検出されたマークで構成されるパターンが複数の基準値と順に比較し、いずれの数に基づいて特定パターンが検出されたかをも検出すると、特定パターンに対してコード情報を付すことができ、より複雑な検出をしたり、誤認識しないようセキュリティを高くすることができる。
　　　【００２３】
　また、存在位置により重み付けをした場合には、所定の距離から離れるにしたがって、係数が小さくなる一方、印刷ずれや検出誤差等により所定の距離から少しずれた位置にマークが存在する場合であっても、マークの総数のカウント対象となるので、誤認識・誤検出することなく確実に特定パターンが検出される。
　　　【００２４】
　そして、各マークのある図形の外周上での存在位置（相対的な位置）をも特定パターンの検知条件とした場合には、まず、適合度算出手段により検出されたマークの数に基づいて特定パターンらしさの適合度を算出し、次いでマッチング手段により前記適合度算出手段により算出された適合度が一定値以上の時に、予め用意した少なくとも１つの基準パターンとのパターンマッチングを行い、基準パターンと一致するものがあるかの判定を行う。これにより、特定パターンに角度情報をもたせることにより、より高精度の判定処理が行え、一方、角度情報を考慮しない状態で適合度を求めるという前処理（絞り込み）を行っているためる、実際にマッチングを行う数は少なくてよいので、処理速度も高速度が維持される。
　　　【００２５】
　また、特定パターンを構成するマークは、座標を特定できればよいので小さくすることができ、目立たなくなり、しかも第三者が位置決め用マークから所定の位置関係にある特定マークを特定することは困難である。よって、原稿中の所定部位を改竄することにより位置決め用マークや特定パターンの検出をさせずに複写等の行為をしようとしても、マークなどを特定できないので、改竄しにくく、適当に改竄を施してもそれが本物のマークなどと一致する可能性は少ない。よって、紙幣等の検出対象物は確実に検出されることになる。そして、位置決め用マークとともにダミーマークを形成した場合には、上記改竄抑制効果はより向上する。
　　　【００２６】
　さらに、本発明の画像処理装置を実装した複写機を用いて紙幣等を複写しようとしたり、スキャナー，プリンターを用いて原稿の読み取り，プリントアウトをしようとした場合、その処理対象の原稿中に存在する特定パターンを検出すると、複写停止命令等を発し、同一物の複写・読み取り・プリントアウトがされなくなる。
　　　【００２７】
　　【実施例】
　以下、本発明に係る画像処理方法及び装置並びにそれを用いた複写機等の好適な実施例を添付図面を参照にして詳述する。図１は本発明と同等の目的を達成するための装置の一例を示している。同図に示すようにこの例では、フルカラー複写機に実装され、係るフルカラー複写機を用いて紙幣等の複写が禁止されているものを複写しようとした場合に、それを検知して複写処理を停止するための処理装置を示している。すなわち、図示するように、複写機のイメージセンサにより読み取られた画像情報が、位置決め用マーク検知手段１に入力される。この画像情報は、ＣＣＤ等のイメージセンサによるスキャンが進むにしたがって順次所定の領域分ずつリアルタイムで送られてくるようになっており、具体的なデータとしては、フルカラー情報であるレッド（Ｒ），グリーン（Ｇ），ブルー（Ｂ）成分それぞれについて、４００ＤＰＩの解像度となっている。
　　　【００２８】
　そして、この位置決め用マーク検知手段１にて、所定の大きさのマスク等を用い、パターンマッチングによりそのエリア内に位置決め用マークがあるか否かをチェックするとともに、その位置決め用マークにより特定される検出対象である特定パターンらしき候補パターンの基準位置（三角形であれば重心点，矩形状であればコーナーの頂点の位置等）を特定し、そのデータを次段の特定パターン切り出し手段２に送るようになっている。
　　　【００２９】
　そして、この特定パターン切り出し手段２では、与えられた存在位置（基準位置）データに基づいて、制御ＣＰＵを使って読み取った画像中の所定部位を切り出すとともに、後工程におけるパターンマッチングを行うための比較パターンを作成するようにしている。そして、係る比較パターンを次段の照合手段たる特定パターンマッチング手段３に送るようになっている。
　　　【００３０】
　特定パターンマッチング手段３では、ファジィパターンマッチングにより比較パターンの基準パターン（特定パターン）に対する適合度を求め、比較パターンが特定パターンであるか否かを判断し、少なくとも特定パターンの時には所定の制御信号を出力するようになっている。
　　　【００３１】
　すなわち、この実施例を用いて行われる本発明の画像処理方法の一実施例としては、通常の複写機の読み取りデータに対し、１回目のスキャン時に位置決め用マーク検出手段１により検出された位置決め用マークの存在位置に基づいて算出される特定パターンらしい候補パターン（切り出す領域）を、２回目のスキャン時に特定パターン切り出し手段２により切り出すとともに特定パターンマッチング手段により切り出された領域の候補パターンに対して順次所定の処理をした後ファジィ推論によるパターンマッチングを行い、特定パターンか否かの判定処理を行う。
　　　【００３２】
　そして、パターンマッチング手段３における比較的原画像に近い精密な画像を用いてパターンマッチングを行う前に、位置決め用マークの検索により処理対象の絞り込みを行っているため、小さなマークの検索は簡単・高速に行え、しかも実際のファジィ推論処理する対象（回数）は少なくて済むので全体として高速化が達成される。そして、各処理を行っている間も、他の手段、例えば画像の読取りや、位置決め用マーク検索等の処理は行われているため、判定処理等を行っている間に他の処理を一時停止する必要がなく、リアルタイムでかつ高速に行うことができる。
　　　【００３３】
　次に、上記した画像処理方法の具体的な例について説明する。まず、本例で用いられる位置決め用マークについて説明する。図２に示すように、破線四角形で囲まれた位置決め用マーク４は、本例では三角形から構成し、係る位置決め用マーク４を所定の位置関係で３個以上（本例では４個）配置して構成される。しかも、係る４個の位置決め用マーク４は、非対象（正方形以外）の四角形の頂点に配置されている。
　　　【００３４】
　これにより、所定の位置関係にある４個の位置決め用マーク４が検出されたなら、その各マーク４の位置座標から、原稿台上での原稿の方向及び位置、すなわち各マーク４と特定パターン６の相対存在位置を一義的に特定することができる。これにより、１回の認識処理で位置決め用マーク４を検出することができ、それに基づいて正確かつ高速に特定パターンらしき候補パターンの存在位置を特定することができ、高速処理が可能となる。
　　　【００３５】
　また、各位置決め用マーク４は、そのマークの存在する座標位置を特定できれば良いので、小さくすることができ（ガイド線に比べ）、第三者に対してその存在を分かりにくくすることができるが、認識率は低下しない。そして、このように小さくすることにより、それを検出するためのウインドウサイズを小さくすることができ、位置決め用マーク４の検出回路を簡易・安価なもので構成でき、処理速度も高速化できる。
　　　【００３６】
　さらに本例では、複数の位置決め用マーク４の周囲に、それに類似するダミーマーク５を多数配置するようにしている。具体的には、位置決め用マーク４と同様に三角形としたが、その各辺を短くしている。これにより、人間が一目見ただけでは類似するマークが多数存在するため、そのうちの一部のマークが位置決め用マーク４を構成していると気が付きにくく、しかも、仮にその中のどれかが位置決め用マーク４であるかを特定することは、困難である。よって、改竄されにくくなり、処理中の原稿が複写の禁止されているものの場合には、それを確実に検出することができる。特に、図示の例では便宜上ダミーマーク５の形状を一律に同一形状（位置決め用マーク４よりも一回り小さい三角形）としたが、大きさの異なるダミーマーク５を複数種用意し、それらを適宜配置することにより、本物の位置決め用マーク４をより特定しにくくすることができる。
　　　【００３７】
　係る構成にすると、図示の例では、位置決め用マーク４で囲まれたパターン（「Ａ」）６は候補パターンとして抽出・切り出されるが、囲まれていないパターン（「Ｂ」）７は抽出・切り出されない。なお、図示の例では、説明の便宜上位置決め用マーク４の周囲を破線の四角で囲んだが、実際には係る破線の四角形は印刷しない。
　　　【００３８】
　また、特定パターンは図２に示すように特定の意味のある文字・記号等に限る必要はなく、例えば図３に示すように位置決め用マーク４で囲まれた所定の領域６′中に存在する、所定の位置関係で配置された複数のパターン要素６′ａの集合体としても良い。
　　　【００３９】
　特に、図示のように各パターン要素６′ａをダミーマーク５と同一形状とすることにより、どこが位置決め用マークで、どれが特定パターンを構成するマークで、さらにどれがそれら判定に関係のないダミーマークなのかを特定することがより困難となり、改竄されるおそれが可及的に減少する。
　　　【００４０】
　なお、係るパターン要素６′ａは、必ずしもダミーマーク５と同一にする必要はなく、類似するものでも良く、或いは位置決め用マーク４と同一または類似のものでも良い。また、それらとはまったく関係のない模様等であってももちろん良い。
　　　【００４１】
　さらには、図４に示すように、位置決め用マーク４ａ〜４ｄと同一のマークからなるダミーマーク４′ａ〜４′ｃを配置しても良い。すなわち、本例では、４つの位置決め用マーク４ａ〜４ｄが、それぞれマークとして一致し、しかも相対位置関係も一致して初めて本物の位置決め用マークと認識されて所定の領域が切り出されるため、そのうちの１つでも欠けると（図示の例では４ｄに相当する位置にマークがない）位置決め用マークと認識されず、よってパターン「Ｂ」７は切り出されることはない。このように、位置決め用マークと同一のマークをダミーとして配置することにより、悪用をしようとした人が、位置決め用マーク及びまたは特定パターンの存在位置を正確に知ることは極めて困難となる。
　　　【００４２】
　さらにまた、上記各図に示した例では、いずれも特定パターン６，６′は、位置決め用マーク４，４ａ〜４ｄで囲まれた内部空間の所定領域に形成したが、本発明はこれに限ることなく、位置決め用マーク４から所定の相対位置関係にあれば、その外側であっても良い。
　　　【００４３】
　すなわち、例えば図４を例にとると、４つの位置決め用マーク４ａ〜４ｄのうち、最も長い辺の頂点４ｄ，４ｃから外側に所定距離だけ離れた位置に存在するパターン「Ｂ」を特定パターン、すなわち、切り出し対象の領域としても良い。そして、上記したごとく４つの位置決め用マーク４ａ〜４ｄで形成される四角形は非対象であるので、抽出・切り出しする領域を一義的に求めることができるので、簡単かつ正確に領域の特定をすることができる。
　　　【００４４】
　次に、上記画像処理方法を実施するための本発明の画像処理装置の第１実施例である図１に示す装置の各手段の具体的な構成について説明する。まず、位置決め用マークを検出するための位置決め用マーク検知手段１の一例を示すと、図５に示すようなブロック構成となっている。すなわち、与えられた画像データ（ＲＧＢデータに対する階調データ（濃淡データ））が２値化処理部１１にて所定の閾値で２値化データに変換し、その変換された２値画像を複数のラインメモリ１２に一旦格納する。そして、２値化するときの閾値を適宜設定することにより、例えば位置決め用マークが存在する画素を黒とし、その外側（背景側）はすべて白となるようにすることができる。
　　　【００４５】
　さらに上記２値化処理部１１の出力をラインメモリ１２を介して検索部１３に送るようになっている。この検索部１３は、ｎ×ｍ（ｎとｍは同じ値でも異なる値でも可）のマスク等を用い、与えられた画像データ（２値化後）中に存在する所定のパターン（位置決め用マーク）を検索するもので、具体的には以下のようになる。
　　　【００４６】
　すなわち、この検索部１３は、図５に示すように、フリップフロップ群１３ａと、そのフリップフロップ群１３ａの出力を受け、所定のパターン（位置決め用マーク）の位置を特定するためのヒット点座標（マスクを構成する各セル（画素）本例では中心座標）を求める座標出力回路１３ｂと、位置決め用マークの存在の有無をチェックするためのデコード回路１３ｃと、デコード回路１３ｃの出力を受け、位置決め用マークが検出された場合にはその中心座標を取得し、出力する判定部１３ｄとから構成されている。
　　　【００４７】
　そして、具体的にはフリップフロップ群１３ａは、図６に示すようになっている。すなわち、本例では説明の便宜上、主走査３画素×副走査３画素のエリアを処理対象とするもので、９個（３×３）のフリップフロップＦＦから構成されている。そして、ラインメモリ１２に格納された画像データから、副走査方向に並んだ３画素ＷＩ０，ＷＩ１，ＷＩ２がシフトクロックＳＣＬＫにより同期して１段目のフリップフロップＦ００，Ｆ１０，Ｆ２０に入力される。そして、ＷＩ０，ＷＩ１，ＷＩ２には、シフトクロックによりタイミングがとられて順次新しい画素データが入力されるとともに、次段のフリップフロップに転送される。また、各フリップフロップの出力端子Ｑから、入力された２値画像の画素データＱ００，Ｑ０１，Ｑ０２，Ｑ１０，Ｑ１１，Ｑ１２，Ｑ２０，Ｑ２１，Ｑ２２が出力される。なお、黒画素の時にフリップフロップの出力が１になるように設定されている。
　　　【００４８】
　そして、主走査方向の終端まで画素データの入力が完了すると、副走査方向に１ラインずらして先頭から入力を行う。つまり、パターン検知の対象となる３×３画素のエリア（マスク）が原稿上を移動することと等価になる。
　　　【００４９】
　また、上記各出力Ｑ００，Ｑ０１，Ｑ０２，Ｑ１０，Ｑ１１，Ｑ１２，Ｑ２０，Ｑ２１，Ｑ２２は、デコード回路１３ｃに入力するようにしている。このデコード回路１３ｃは、図７に示すようになっており、フリップフロップ群１３ａから出力される３×３画素のパターンが、あるパターン（中央の画素が黒でそれ以外の周囲８画素は白）の場合にはＡＮＤ素子の出力がＨｉｇｈになる。すなわち、デコード回路１３ｃの出力ＨＩＴがＨｉｇｈならば、フリップフロップＦＦ１１を中心に位置決め用マークがあることがわかる。
　　　【００５０】
　さらに、座標出力回路１３ｂは、複数のラインメモリ１２のアドレスに接続され、フリップフロップ群１３ａに入力すべき画像のアドレスを出力するとともに、フリップフロップ群１３ａの中央フリップフロップＦＦ１１から出力される画素の座標（ＸＹ）を判定部１３ｄに出力するようになっている。そして、判定部１３ｄには、デコード回路１３ｃの出力とその時の位置決め用マークの座標ＸＹが入力されるようになる。この判定部１３ｄは、ＨＩＴがＨｉｇｈであれば座標ＸＹを位置決め用マーク記憶メモリ２１に記憶する。なお、本例では、基本原理を説明するために３×３画素を用いて位置決め用マークを検索するようにしたため９個のフリップフロップを用意するとともに図示するようなデコード回路の条件としたが、検知したい図柄の形状や部分に応じて使用するフリップフロップの個数や、デコード回路での条件を適宜設定する必要がある。
　　　【００５１】
　すなわち、図２〜図４に示したように、本例では位置決め用マーク４に加えて、それとは大きさの異なるダミーマーク５も形成しているので、位置決め用マーク４は検出するが、ダミーマーク５は検出しないようにする必要がある。そして、両マーク４，５の実際のドットパターンが図８（Ａ），（Ｂ）に示すようになっている（各マスＳが１画素に相当）とすると、フリップフロップ群１３ａは、図６に示した３×３のものに換えて、図８の各マス（セル）Ｓに対応するように１０×１０のフリップフロップ群を用いれば良い。そして、それに対応してデコード回路も、１００入力のアンド素子（複数のアンド素子を組合わせて等価的に構成してもよい）を用い、図８（Ａ）の黒画素に対応する入力端子はそのままにし、白画素に対応するアンド素子の入力を反転入力するようにすれば良い。すると、図８（Ａ）に示すパターンの時のみＨＩＴはＨｉｇｈになり、それ以外（図８（Ｂ）も含む）はＬｏｗとなる。従って、上記と同様にＨＩＴがＨｉｇｈの時の座標ＸＹを出力・記憶させれば良い。
　　　【００５２】
　しかも、本例のように検出する位置決め用マーク４の形状を三角形にすると、角度依存性が生じるので、例えば角度を変えた複数のパターンに相当するデコード回路１３ｃ（入力を反転にする部分をパターンに応じて適宜変えたアンド素子から構成される）をフリップフロップ群１３ａの出力に並列に接続し、いずれかのデコード回路で検出されたならば位置決め用マークありとすることにより対応できる。
　　　【００５３】
　なお、位置決め用マークを１画素分の点とした場合には、上記した３×３のマスク（ウインドウ）を用いた構成をそのまま使用することができる。係る場合に、印刷ムラ等により本来配置すべきでない箇所に一画素の点が印刷されてしまうおそれがある。但し、その場合であっても、本例では所定の位置関係にある複数の位置決め用マークを検出することにより初めて本物と特定され、切り出し領域の算出処理が行われるので、実用上さほど問題はない。
　　　【００５４】
　また、例えば図８の例をとると、１つの位置決め用マークを含む大きさ（例えば８×８）を１つの処理対象の単位とし、８×８画素分を平均化して２値化することにより、同図（Ａ）では２値化の閾値以上になり黒となるが同図（Ｂ）では閾値以下で白とすることができる。そして、このように平均化・２値化した単位を図６に示す各フリップフロップに入力するようにすると、図６，図７の回路等はそのまま用いることができる。
　　　【００５５】
　但し、係る場合には、図５中の２値化処理部１１の前或いは後に所定数の画素の平均を求める平均化処理部が必要となる。なお、上記位置決め用マークを検出する際の閾値としては、好ましくは上限及び下限を持ち、ウインドコンパレータ等を用いて２値化すると、例えば図８（Ａ）の黒画素の内部全部も黒画素となっているようなパターンは上限を越えるとして排除することができる。
　　　【００５６】
　図９は、特定パターン切り出し手段２のブロック構成を示している。本手段２は図示するように、１回目のスキャンの際に位置決め用マーク検知手段１から出力された位置決め用マークの位置座標が、位置決め用マーク座標記憶メモリ２１に記憶されているので、座標記憶メモリ２１に格納されたデータを制御用ＣＰＵ３０に送り、そこにおいて各位置座標が所定の位置関係にあるか否かを判断し、所定の関係にある、すなわち、本物の位置決め用マークと認定したならば、その位置座標に基づいて切り出す領域（座標）を求める。
　　　【００５７】
　具体的には、図１０に示すように、原稿台の水平方向の基準線Ｌとすると、４個の位置決め用マーク４の各座標（ｘ１，ｙ１），（ｘ２，ｙ２），（ｘ３，ｙ３），（ｘ４，ｙ４）から所定の相対位置にある特定パターン６の傾きθＴ及び切り出す領域（図中破線で示す）の基準座標（ｘ５，ｙ５）を求める。係る処理を制御用ＣＰＵ３０で行い、その特定パターン（切り出すため）の情報を一時記憶する。すなわち、切り出す大きさ（形状）は予めわかっているので、上記基準座標と傾き（この２つのデータが一時記憶される）が特定されると、切り出す領域が一義的に決まる。
　　　【００５８】
　さらに、特定パターン切り出し手段２は、２値化する前のＲＧＢデータ（濃淡画像）が位置決め用マーク検知手段１から送られてくるので、その画像データを２値化部２２にて２値化し、その２値化データを詳細メモリ２４に格納するようにしている。この２値化するための閾値は、上記位置決め用マーク検知手段１の２値化処理部１１における閾値と異ならせており、これにより位置決め用マークとは通常色の異なる特定パターンを最適な条件で２値化できるようになっている。
　　　【００５９】
　そして、制御用ＣＰＵ３０からの制御信号に基づき、詳細メモリ２４に格納された２値化画像データのうち、上記求めた基準位置（ｘ５，ｙ５）と傾斜角度θＴにより特定される所定の領域（図中破線で示す）を切り出し、制御用ＣＰＵ３０にて所定の特徴量抽出を行った後、特定パターンマッチング手段３に送るようになっている。なお、この制御用ＣＰＵ３０機能の一部は特定パターン切り出し手段２に含まれるため、その関与する部分の機能のフローチャートを示すと図１１に示すようになっている。
　　　【００６０】
　次に、特定パターンマッチング手段３について説明する。制御用ＣＰＵ３０は、プログラムＲＯＭ３０ａに格納されたデータに基づいて詳細メモリ２４に格納された画像データのうち、読み出すべき画像データを特定するとともに、その画像データ中のパターンマッチングに必要な領域を求め、その制御用ＣＰＵ３０からの制御信号に基づいて、係る各領域内の画像データが詳細メモリ２４から推論部３１に送られ、そこにおいて、メモリ３２，３３に格納されたルールやメンバシップ関数等のファジィ知識に基づいて、推論処理をし、与えられた画像データが、予め設定された特定パターンとの類似度が判断される（図１２参照）。
　【００６１】具体的には、図１３に一例を示すように、切り出された画像データのうち、各特徴量空間（図示の例では４つの領域）内にそれぞれ存在する画素数をカウントすることにより特徴量抽出を行う。これにより、第１の特徴空間Ｒ１では画素数は２４、第２の徴量空間Ｒ２では画素数は２６、第３の特徴空間Ｒ３では画素数は３０、第４の特徴空間Ｒ４では画素数は２９となる。この特徴量抽出も制御用ＣＰＵ３０で行う。
　　　【００６２】
　そして、予め作成されたルール，メンバシップ関数（図１４に示す）にしたがって、抽出した特徴量を入力としたファジィ推論をし、基準パターンとの適合度（類似度）を決定し出力する。なお、図示の例では、適合度は０．６となり、判定基準の０．５以上であるので基準パターンと同一と判断される。
　　　【００６３】
　なお、特徴量空間の区分けとしては、本例では格子状に分けたが、同心円状，矩形状等任意の形状とすることができる。また抽出する特徴量としても、上記した画素数に限ることなく、画素の連続／不連続数や方向等としても良い。
　　　【００６４】
　そして、上記したように、複数の知識に基づいて推論した結果得られた適合度が制御用ＣＰＵ３０を介してＰＰＣ（複写機）に出力される。そして、複写機側では、その適合度がある閾値を越えたら紙幣等の複写禁止物と判断して偽造防止の所定の処理（複写禁止，全体に黒画面で出力等）をするようになっている。なお、係る紙幣等の複写禁止物（特定パターン）であるか否かの判断も制御用ＣＰＵ３０側で行い、その判定結果（停止信号等）を出力するようにしてもよい。
　　　【００６５】
　図１５，図１６は、実際に複写機に上記装置を組み込んだ例を示している。図示するように、原稿台５０上に載置された原稿５１にランプ５２から出射された光の反射光を光学系５３を介してイメージセンサであるＣＣＤ５４にて原稿の画像を読み取る。なお、ランプ５２並びに光学系５３を構成する平面鏡等は所定速度で移動してスキャンしていき、原稿５１の所定部位をＣＣＤ５４にて逐次読み取り、信号処理部５５に画像データ（Ｒ・Ｇ・Ｂ）を送るようになっている。
　　　【００６６】
　この信号処理部５５は、図１６に示すように、通常の色処理回路５６と、上記した本発明に係る画像処理装置５７が実装され、上記画像データが、色処理回路５６と画像処理装置５７に並列に送られるようになっている。そして、色処理回路５６では、マゼンタ（Ｍ），シアン（Ｃ），イエロー（Ｙ）並びにブラック（Ｂｋ）の各成分に分解し、印刷手段５８に出力する。そして、実際には４回スキャンし、１回のスキャンにともない上記４つの成分（Ｍ，Ｃ，Ｙ，Ｂｋ）のうち一つの成分を印刷手段５８の入力側に配置されたレーザドライバ５９に出力し、レーザ光を感光ドラム６０の所定位置に照射するようになっている。そして、４回のスキャン終了後、コピー紙に対して複写処理を行い複写物６１を出力するようになっている。なお、具体的な複写処理をする機構については従来のものと同様であるため、その説明は省略する。
　　　【００６７】
　一方、画像処理装置５７では、上記色処理回路５６における信号処理を行っている間にそれと平行してまず１回目のスキャン時に上記した処理のうち位置決め用マークの検出処理を行い、２回目のスキャン時に検出された位置決め用マークに基づいて切り出し及びマッチング処理を行い読み取り最中の画像データ中のパターンの特定パターンに対する類似度を求め、その読み取り処理中の原稿５１が、紙幣等の複写禁止物の場合には、上記レーザドライバ５９の出力を停止する制御信号を発したり、或いは、色処理回路５６に対し制御信号を送り、例えば複写画面全面を黒画像にする等種々の複写禁止処理を行うようになる。
　　　【００６８】
　なお、上記した実施例では、１回目のスキャンで位置決め用マークの検出を行い、２回目のスキャンで特定パターンの切り出し及び類似度の算出を行うようにしたが、処理の順番を変えなければ必ずしも１回目と２回目の処理時に行う必要はなく、所望のスキャン時に各処理を行うようにすることができる。また、検出対象の種類が多い場合には、１，２回目のスキャンで所定の特定パターンの検出を行い、３回目と４回目のスキャンで別の種類の特定パターンの検出を行うようにすることもできる。
　　　【００６９】
　また、上記のようにかならずしも２回のスキャンで特定パターンの検出を行う必要はなく、特に位置決め用マークと特定パターンとの存在位置が近い場合には、バッファメモリに蓄えることにより（メモリ容量も小さくてすむ）、１回のスキャンで位置決め用マークの検出から特定パターンの存在位置を特定するとともに切り出す工程を行うことが可能となる。
　　　【００７０】
　なおまた、上記した実施例では、位置決め用マークとダミーマークとは、ともに三角形で各辺を異ならせることにより両者を分離したが、本発明はこれに限ることなく、種々の形状とすることができる。そしてその一例を示すと、平行四辺形の傾斜角度を異ならせたり、二等辺三角形の底角を異ならせたり、高さが同じで傾斜角度の異なる不等辺三角形としたり、その他各種の多角形の角度を異ならせるなど種々の組み合わせにより位置決め用マークとダミーマークとを構成することができる。また、このように角度を異ならせるのみならず、実施例のように寸法を適宜変更させてももちろん良い。
　　　【００７１】
　さらには、図１７に示すように、形状の異なる所定幅からなる複数の波線Ｍを交差させ、その交差部分の形状の差により位置決め用マークを特定するようにしても良い。すなわち、同図（Ｂ），（Ｃ）に拡大して示すように、波線Ｍの形状が異なるので、交差部分（ハッチングで示す）の形状も異なる。よって、そこから位置決め用マークを構成する所定形状の交差部分を検出するようにしても良い。かかる構成にすると、第三者には単なる地模様と認識される蓋然性が高いので、改竄等される可能性が可及的に減少する。
　　　【００７２】
　また、ダミーマークは必ずしも設ける必要はなく、また、位置決め用マークとしても特定パターンの存在位置を一義的に決めるためには二等辺三角形や非対象の多角形（三角形，四角形を含む）の頂点に位置決め用マークを配置するのが好ましいが、例えば正三角形，正方形その他の正多角形の頂点に位置決め用マークを配置してもよい。その場合には、例えばその正多角形の重心位置に上下，左右方向の方向性のない線対象なパターンを特定パターンにすることにより、１回のスキャンにより特定パターンの存在位置を一義的に求めることができる。
　　　【００７３】
　さらに、上記した各実施例では、４個の位置決め用マークを検出するようにしたが、３個或いは５個以上でも良く、その数は任意である。また、マークの形状に特徴（方向性等）を持たせることにより、１または２個でも可能である。さらに、複数の位置決め用マークは、いずれも同一のマークを用いたが、本例ではこれに限ることなく、異なる或いは類似のマークを位置決め用マークに選定することもできる。かかる場合には、各マークに対応して形成される複数のデコーダ回路をフリップフロップ群の出力に並列に接続することによりマークの検出を行うことができ、制御用ＣＰＵで切り出し位置を決定するに先立ち、検出された位置決め用マークの相対位置関係をチェックする（図１１の２番目の処理ステップ）際に、単に各マークの位置関係のみならずマークの種類と位置の関係によりチェックを行うようにすれば良い。
　　　【００７４】
　さらに、形状を変化させるのではなく、色に変化を持たせることにより、位置決め用マークとダミーマークを分離するようにしても良い。係る場合は、図５に示す位置決め用マーク検知手段１の２値化処理部１１を例えば図１８に示すような２値化回路を用いることにより適用できる。すなわち、この回路は閾値設定部１１ａ，１１ｂによりＲ，Ｇ，Ｂそれぞれに対して上限，下限の閾値を設定し、与えられたＲＧＢデータをウインドコンパレータ１１ｃに入力し、そこで各閾値と比較することより、所定の濃度（階調）にある画素を抽出することができる。そして、所望の色からなる画素が与えられた時にのみ最終的な３入力のアンド素子１１ｄの出力が１となる。
　　　【００７５】
　さらにまた、検出対象の特定パターンは、従来行われているようにもともとの原稿中に存在する特徴量の大きなパターン部分としてもよく（その場合でも位置決め用マークの検出に基づき特定パターンの存在位置を正確かつ簡単に知ることができる）、或いは位置決め用マークと同様別途設けたものでもよい。
　　　【００７６】
　そしてその様に特定パターンを固有のものに決めた場合には、画像処理装置側では、その特定パターンに対する知識を有しておけば良く、その後に出現する新たな複写等禁止物に対しても係る複写等禁止物にその特定パターンを付すだけで検出することができる。また、検出対象が特定パターンに限られるため、多種類の複写等禁止物に適用でき、しかも高速処理ができる。
　　　【００７７】
　また、特定パターンマッチング手段３における判定処理は、上記した実施例のように予め用意した基準パターン（特定パターン）との類似度を求めるもののみならず、例えば図１９に示すように、位置決め用マーク４で決定される切り出し領域に、白／黒等で表される２値化情報から構成される特定パターン６″を設け、特定パターンマッチング手段では、特定パターン６″を構成する各セルの濃度から１／０を求め、所定の順で並べて１／０でデコードする（図示の例では、「０１００００００１０…」となる）。そして、そのデコードした値が予め用意した特定パターンを意味する基準コード情報と一致するか否かを判定することにより特定パターンか否かを判断するようにしても良い。
　　　【００７８】
　図２０は本発明に係る画像処理装置の好適な一実施例を示している。本実施例では、上記した例と相違して、与えられた画像情報からその画像中に存在する特定パターンを直接（位置決めマークの検出による存在値の特定をすることなく）検出するようにしている。
　　　【００７９】
　すなわち、本実施例では、図２１に示すように、同一形状の三角形からなる複数のマーク８ａ，８ｂを所定の位置関係に配置することにより特定パターン８を構成している。具体的には、あるマーク８ａを中心にある図形（図示の例では人間の横顔の外周上）に所定数（図示の例では１０個）のマーク８ｂを配置している。そして、本例では、円周上に同一個数のマーク８ｂを配置したものを特定パターン８としているので、各マーク８ｂの配置位置は任意（図示のものに限らず、図形の外周上にマークが１０個あればすべて特定パターン）となる。
　　　【００８０】
　また、本実施例で用いられる特定パターン８を構成する各マーク８ａ，８ｂは、上記した第１実施例における位置決め用マーク４とその形状上の特性は同様である。
　　　【００８１】
　よって、上記第１実施例で説明した位置決め用マーク４の効果、すなわちそのマークの存在する座標位置を特定できれば良いので、マークの大きさを小さくすることができ、第三者に対してその存在を分かりにくくすることができ、しかも、認識率は低下しないという効果を奏する。さらに、このように小さくすることにより、それを検出するためのウィンドウサイズを小さくすることができ、検出回路を簡易・安価なもので構成でき、処理速度も高速化できるという効果は、本例におけるマーク８ａ，８ｂでもそのまま発揮する。
　　　【００８２】
　そして、図２０に示す装置では、画像情報が与えられたマーク検知手段７０にて画像情報中に存在する上記マーク８ａ，８ｂを検出し、その座標位置を求め、検出された各マークの座標を次段の特定パターン検知手段８０に送る。そして、この特定パターン検知手段８０では、各マーク８ａ，８ｂの存在位置から、図２１に示すような所定の位置関係になる複数のマーク８ａ，８ｂがあるか否かを判定し、その適合度を出力するようにしている。
　　　【００８３】
　つまり、この装置を用いて実施される本発明に係る画像処理方法では、複数回行われるスキャンの所定の１回に読み取られた原稿画像をマーク検出手段７０に送り、そこにおいて上記マーク８ａ，８ｂを検索し、検出した場合にはその時の存在位置座標を取得し記憶する。
　　　【００８４】
　そして、少なくともある図形の外周に相当する幅分の画像読取りが終了したならば（すべての画像読取り終了後に判定処理（特定パターン検知処理）を開始してももちろん良い）、特定パターン検知手段８０を作動させて、検出したマークの存在位置情報から、読み取った画像中に所定の位置関係にマークが存在するか否かをチェックすることにより特定パターンの検出を行う。
　　　【００８５】
　具体的には、所定のウインドウ（Ｎ×Ｎ）を設定し、マークの位置座標に基づいてそのウインドウを構成する各マス内にマークの存在有無をチェックし、ある図形の外周上のマス内に所定個数（図２１の例では１０個）のマークが存在しているのか否かを判断する。そして、存在している場合には、特定パターンありと判断する。
　　　【００８６】
　また、印刷ずれ・印刷むらや改竄等を考慮し、一定のマージンを取るようにしてもよい。すなわち、ある図形の外周に一定の幅を設け、その範囲内に存在すれば特定パターンを構成するマークと認識する。但し、一定の重み付けをし、ある図形の外周から離れるほど重みを軽くするように設定することにより、高精度の検出（検出漏れ，誤検出の抑制）を行えるようにしている。また、上記存在する個数（１０個）に対しても所定のマージンを設けるようにしても良い。これにより、自然退色，検出誤差等によりマークの一部が欠如してマークとして認識されないような場合があったとしても、確実に検出することができる。
　　　【００８７】
　このように本例では、原稿中に存在する特定パターンを構成するマークを検出し、そのマークの位置座標に基づいて特定パターンの有無を判定するようにしているので、判定に要する情報取得は、１回のスキャンで行うことができる。しかも、マークの位置座標が所定の位置（距離）関係にあるか否かのチェックを行うだけなので、高速に処理できる。
　　　【００８８】
　なお、特定パターンの検出は、上記したようにウインドウを必ずしも用いなくても良い。すなわち、ソフトウエアで処理する場合には、あるマークを仮に重心のマーク８ａと仮定し、そのマークから所定の距離（一定のマージン幅を設けても可）だけ離れた位置に存在するマークを検出し、該当する個数を求める。そして、その個数が一定の範囲内であれば、特定パターンありと判定するようにしても良い。
　　　【００８９】
　次に、上記画像処理方法を実施するための図２０に示す第２実施例の画像処理装置の各手段７０，８０の具体的な構成について説明する。まずマーク検知手段７０について説明すると、本例で用いられるマーク８ａ，８ｂ自体の形状等は第１実施例の位置決め用マーク４と同様であるので、上記した第１実施例に係る位置決め用マーク検出手段１と略同様の構成を採ることができる。
　　　【００９０】
　すなわち、図２２に示すように、与えられた画像データ（ＲＧＢデータに対する階調データ（濃淡データ））が２値化処理部７１にて所定の閾値で２値化データに変換し、その変換された２値画像を複数のラインメモリ７２に一旦格納する。そして、２値化するときの閾値を適宜設定することにより、例えばマーク８ａ，８ｂが存在する画素を黒とし、その外側（背景側）はすべて白となるようにすることができる。
　　　【００９１】
　さらに上記２値化処理部７１の出力をラインメモリ７２を介して検索部７３に送るようになっている。この検索部７３は、ｎ×ｍ（ｎとｍは同じ値でも異なる値でも可）のマスク等を用い、与えられた画像データ（２値化後）中に存在するマーク（所定径の小円）８ａ，８ｂを検索するもので、具体的には以下のようになる。
　　　【００９２】
　すなわち、この検索部７３は、図２２に示すように、フリップフロップ群７３ａと、そのフリップフロップ群７３ａの出力を受け、マーク８ａ，８ｂの位置を特定するためのヒット点座標（マスクを構成する各セル（画素）の代表点で本例では中心座標）を求める座標出力回路７３ｂと、マーク８ａ，８ｂの存在の有無をチェックするためのデコード回路７３ｃとを備え、座標出力回路７３ｂとデコード回路７３ｃの出力を特定パターン検知手段８０内のマーク位置記憶メモリ８１に接続している。そして、デコード７３ｃの出力ＨＩＴがＨｉｇｈ（マークあり）の時の座標出力回路７３ｂの出力座標（Ｘ，Ｙ）をマーク位置記憶メモリ８１に格納するようにしている。
　　　【００９３】
　そして、上記フリップフロップ群７３ａは、図６に示すような主走査３画素×副走査３画素のエリアを処理対象とするもので、９個（３×３）のフリップフロップＦＦから構成されてなるのを基本とし、実際にはマーク８ａ，８ｂの大きさに合わせてその設置数を適宜設定する。すなわち、仮にマーク８ａ，８ｂが、図８（Ａ）のようになっているとすると、１０×１０のフリップフロップ群を用いれば良い。そして、それに対応してデコード回路も、１００入力のアンド素子（複数のアンド素子を組合わせて構成することができる。また、マークの大きさが図８（Ｂ）のようになっているとすると、８×８のフリップフロップ群を用いれば良い。そして、それに対応してデコード回路も、６４入力のアンド素子（複数のアンド素子を組合わせて構成しても可）を用いればよい。
　　　【００９４】
　そして、ラインメモリ７２に格納された画像データから、順次所定のタイミングでフリップフロップ群７３ａの所定のフリップフロップに与えられるが、係る動作は第１実施例におけるフリップフロップ群１３ａと同様であるのでその説明を省略する。
　　　【００９５】
　また、フリップフロップ群の各フリップフロップの出力は、デコード回路７３ｃに入力するようにしている。このデコード回路７３ｃは、図７に示すようなアンド素子を基準としている。すなわち、フリップフロップと同一数の入力端子を備え、図８等に示すように、本来黒画素になるところはそのまま入力させ、白画素になるべきところは反転入力させるように構成する。これにより、所望の半径ｒの小円があった時のみＡＮＤ素子の出力がＨｉｇｈになる。そして、デコード回路７３ｃの出力ＨＩＴがＨｉｇｈならば、中央のフリップフロップを中心に特定パターンを構成するマーク８ａ，８ｂがあることがわかる。なお、位置ずれ，印刷むら，使用に伴うかすれなどの誤差を許容するため、各画素の出力を直接アンド素子の入力に接続するのではなく、隣接する複数（２個がよい）の画素を一旦オア素子に入力後、アンド素子に入力さるようにしても良い。係る場合には、たとえ１画素分が切れていてもアンド素子には「Ｈｉｇｈ」が入力されるため、確実にマーク８ａ，８ｂを検出することができる。
　　　【００９６】
　さらに、座標出力回路７３ｂは、複数のラインメモリ７２のアドレスに接続され、フリップフロップ群７３ａに入力すべき画像のアドレスを出力するとともに、フリップフロップ群７３ａの中央フリップフロップから出力される画素の座標（ＸＹ）を出力するようになっている。
　　　【００９７】
　係る構成にすることにより、例えば図２３（Ａ）のような画像情報が与えられたとすると、マーク８ａ，８ｂは検索部７３により検知されるので、その座標値がマーク位置基準メモリ８１に格納されるが、それ以外の「丸」，「四角」はデコード回路７３ｃの出力がＬｏｗになるので、そのときの座標値はマーク位置基準メモリ８１に格納されない。その結果、マーク位置基準メモリ８１には、同図（Ｂ）に示すように特定パターンを構成するマーク８ａ，８ｂの存在箇所のみが「１」となる。すなわち、上記「丸」，「四角」はダミーパターンとして使用できる。また、同じ三角形であってもその大きさを変えると検出されないので、係る大きさの異なる三角形もダミーパターンとして使用できる。そして、このようなダミーパターンをある図形の外周上や異なる外周上に適宜配置することにより、第三者には、特定パターンを構成するマークの位置を知ることがより困難となり改竄のおそれが可及的に減少する。
　　　【００９８】
　次に、特定パターン検知手段８０について説明する。この特定パターン検知手段８０は、上記したマーク位置基準メモリ８１と、そのメモリ８１内に格納されたデータに基づいて、前段で検出されたマーク８ａ，８ｂが特定パターン８を構成するものであるか否かを判定する判定手段（本例ではＣＰＵ）８２とから構成されている。そして、ＣＰＵ８２では、プログラムＲＯＭからの制御信号に基づいて、図２５に示す処理を行うようになっている。
　　　【００９９】
　まず本例では、判定処理を行うに際し、図２６に示すように１５×１５のウインドウを用い、係るウインドウ内に存在するマークの状態から特定パターンの有無を判断するようになっている。このウインドウの各マスが、それぞれマークの大きさに対応している。さらに本例では、印刷ずれ，検出誤差等を考慮し、重心のマス「Ｃ」から所定の距離離れたマス（ある図形の外周に相当するマス）には、係数（重み付け）として１を与え、１マスずれた箇所には係数０．８を、さらに２マスずれた箇所には係数０．５を設定している。
　　　【０１００】
　そして、ＣＰＵ８２は、マーク位置記憶メモリ８１に格納されたデータを読み出し、マークが存在する位置座標に対応するウインドウ内のマスをチェックする。この状態で各マスの状況（マークの有無）を検査するのであるが、まずウインドウ中央のマスＣにマークがあるか否かを判断し（ＳＴ１）、ない場合には係るウインドウ内には（中心が一致する）特定パターンはないので、ウインドウを主走査方向に移動する（ＳＴ８）。
　　　【０１０１】
　また、ウインドウの中央のマスＣにマークが存在する場合には、ウインドウの各マスに付された係数のうち、特定パターンであれば存在する外周上の「１」のマスに存在するマークの数，それから１マス離れた係数「０．８」のマスに存在するマークの数並びにさらに１マス離れた係数「０．５」のマスに存在するマークの数をカウントする（ＳＴ２〜ＳＴ４）。
　　　【０１０２】
　そして、上記のようにしてカウントした、係数１．０〜０．５に存在するマークの総数を求め、その総数が一定の範囲内であるか否かを判断する（ＳＴ５）。この一定の範囲とは、例えば特定パターンが図２１に示すように外周上に１０個のマークが存在するものとすると、その「１０」に一定のマージン（両方に同じでも良く、或いは異ならせてもよい）を加・減算することにより得られた範囲となる。
　　　【０１０３】
　このステップ５の判断で、一定の範囲を越えている場合には、特定パターンではないとしてステップ８に飛び、ウインドウの位置をずらし、次の画像に対する判定を行うようになる。一方、一定の範囲内にある場合には、該当する係数の平均値（適合度）を算出し、その適合度（類似度）を出力する（ＳＴ６，ＳＴ７）。
　　　【０１０４】
　一例を示すと、図２１に示す特定パターンと同一のパターンが画像中に存在すると、各マークの存在位置座標がマーク位置記憶メモリ８１に格納されているので、それをウインドウ上に展開すると、図２７に示すようになる。すなわち、中央のマーク８ａが上記ウインドウのセンターＣのマスに位置すると、１０個のマークが外周上に位置する（いずれもマークが存在する位置に「Ｍ」を示す）。したがって、各マークのマスの係数はすべて１であるので、ステップ２でのカウント値が１０で、ステップ３，４でのカウント値が０となる。よって総数は１０個となり一定の範囲内であるので、係数の平均値を求める。この場合すべてが１であるので、平均値も１（適合度１（１００％））となる。また、ある１個のマークが改竄され消されているような場合には、カウントされた総数は９個となり、範囲内にあるので、係数の平均値が算出され、残りの９個のマークの位置がすべて係数１のところにあると、平均値は１となる。
　　　【０１０５】
　また、図２９に示すように、すべてのマークが係数０．８の箇所に存在するような場合には、カウント値の総数は１０となるので係数の平均値を求める処理に移り、（０．８×１０）／１０より平均値（適合度）は０．８となる。
　　　【０１０６】
　また、このように係数１〜０．５の範囲内にあるマークのみを処理対象としているので、仮にそれ以外（係数０）の箇所に特定パターン８を構成するマーク８ａ，８ｂと同一形状のマークが存在したとしてもカウントされず、適合度の算出に何等影響を与えない。換言すれば、係数０の位置に同一形状のマークを施すと、それがダミーパターンとなるので、当事者以外は特定パターンを実際に構成しているマークを特定することがより困難になり、その結果、改竄されにくくなる。
　　　【０１０７】
　そして、適合度を出力したならばステップ８に移りウインドウを主走査方向に１マス分だけ移動する。そして、主走査方向に移動した結果ウインドウが後端を越えているか否かを判断し（ＳＴ９）、越えていない場合にはステップ１に戻り、新たなウインドウに基づいてそのウインドウ内に特定パターンが存在しないかをチェックする（特定パターンを構成するマークに基づいて適合度を求める）。
　　　【０１０８】
　一方、ステップ９の判断で、ウインドウが後端を越えている場合には、主走査方向を原点位置に戻すと共に、副走査方向に移動する。そして、移動した結果、ウインドウの副走査方向の後端を越えていない場合には、ステップ１に戻り、新しく設定したウインドウに基づいて特定パターンの検出処理を行う。これにより、読み取った原稿中のすべての領域のチェックを行うことになる。
　　　【０１０９】
　そして、ステップ７で出力される適合度は、上記第１実施例等と同様に、複写機本体等へ送られ、その適合度が一定の値を越えている場合には、複写処理が停止される。そして、本例では、原稿中に存在する特定パターンを構成するマークを検出し、そのマークの位置座標に基づいて特定パターンの有無を判定するようにしているので、判定に要する情報取得は、１回のスキャンで行うことができる。これにより、より高速に処理でき、しかも、図柄のパターンマッチング等を行わないので、判定（適合度算出）処理も高速にできる。
　　　【０１１０】
　また、上記した実施例では、特定パターンの検出処理をソフトウエアで処理する例について説明したが、本発明はこれに限ることなく、ハードウエアで処理するようにしても良い。そして、係る場合の回路構成の一例としては図３０に示すものを用いることができる。
　　　【０１１１】
　すなわち、上記したウインドウに相当する１５×１５のフリップフロップ群８３を設け、マーク位置記憶メモリ８１に記憶されたマークが存在する箇所のフリップフロップに１をセットするように構成する。そして、マーク位置記憶メモリ８１からフリップフロップ群８３へのデータのセットを適宜行うことにより、図２５に示すステップ８〜１１でのウインドウの移動が行われる。
　　　【０１１２】
　そして、このフリップフロップ群８３の出力（各フリップフロップの出力）を組み合わせ回路８４に送るようにする。この組み合わせ回路８４は、各フリップフロップの出力に上記図２６の各係数を掛けるとともに、その算出結果の平均値を求めることにより適合度を求めるものであり、具体的な回路構成の一例を示すと、図３１に示すようになっている。
　　　【０１１３】
　すなわち、フリップフロップ群８３を構成する各フリップフロップの出力を乗算器８４ａに与える。この乗算器８４ａは、各フリップフロップの出力にそれぞれ接続され、その出力に対し、所定の係数を掛けるもので、その掛ける値は、図２６に示す「０」，「０．５」，「０．８」，「１」のいずれかの値となる。中央のフリップフロップの出力に対しては「０」を掛ける。
　　　【０１１４】
　そして、この乗算器８４ａの各出力を計数器８４ｂに入力する。計数器８４ｂでは、乗算器８４ａの出力が０以外（０．５，０．８，１）になっている数をカウントする。これにより、フリップフロップ群８３で構成されるウインドウ内に特定パターンが存在している場合に、外周上及びそこから一定幅のマージンを取った範囲中に存在するマーク８ｂの総数が求められる（図２５のステップ２〜ステップ４の処理）。
　　　【０１１５】
　そしてこの計数器８４ｂの出力が比較器８４ｃに接続される。この比較器８４ｃはウインドコンパレータを用い、基準値となる上限値，下限値が上記したマーク８ｂの個数に対するマージンとなる。よって、計数器８４ｂの出力、すなわち、マーク８ｂの総数が基準範囲内（上限／下限値の範囲内）である場合には、その出力は１（Ｈ）となり、範囲を外れると０（Ｌ）となる。
　　　【０１１６】
　この比較器８４ｃの出力がアンド素子８４ｄの一方の入力端子に入力される。またこのアンド素子８４ｄの他方の入力端子には、フリップフロップ群８３のうち中央のフリップフロップ（図２６でいうＣの部分に相当するフリップフロップ）の出力も接続されている。したがって、中央のフリップフロップが１（中央にマーク８ａが存在する）で、しかも、計数器８４ｂの出力（マーク８ｂの総数）が一定の基準範囲内の時にアンド素子８４ｄの出力は１（Ｈ）になり、それ以外は０（Ｌ）となる。すなわち、ここのアンド素子８４ｄが図２５のフローチャートのステップ１，ステップ５の判定処理をすることになり、アンド素子８４ｄの出力が１の時が有効（特定パターンの存在の可能性がある）で、０の時は無効（特定パターンなし）となる。
　　　【０１１７】
　一方、上記乗算器８４ａの出力は、加算器８４ｅにも接続され、各乗算器８４ａの出力が加算され、総和が求められる。そして、その加算器８４ｅの出力が除算器８４ｆの一方の入力端子に接続され、またこの除算器８４ｆの他方の入力端子には上記計数器８４ｂの出力が接続される。そして、この除算器８４ｆでは、加算器８４ｅの出力を計数器８４ｂの出力で割る処理を行い、その算出結果を出力する。これにより、処理対象のマーク８ｂが存在している箇所の係数の平均値、すなわち適合度が求められ、図２５のフローチャートのステップ６，７の処理をすることになる。
　　　【０１１８】
　なお、上記したようにこの適合度とともにアンド素子８４ｄの出力である有効／無効のフラグが出力されるので、複写機本体側では、有効フラグが出力している時の適合度が所定の基準以上の時に、特定パターンが存在すると認識でき、それに応じて所定の処理を行うようになる。
　　　【０１１９】
　また、上記した実施例では、乗算器８４ａは、すべてのフリップフロップの出力に接続したが、係数０を掛ける乗算器は設けなくてもよい。すなわち、係数０となる場所に相当するフリップフロップの出力は乗算器に接続しないようにする。また、上記した例では計数器８４ｂに乗算器８４ａの出力が与えられるようにしたが、例えばフリップフロップ群８３の出力を接続するようにしてもよい。この場合に、フリップフロップ群８３を構成するフリップフロップのうち、係数「０．５」，「０．８」，「１」に対応するフリップフロップの出力のみを計数器８４ｂに接続するようにする。すると、計数器８４ｂには、マークが存在するフリップフロップからは１が与えられ、マークが存在しないフリップフロップからは０が与えられる。よって１が出力されたフリップフロップの総数を求めればよいので、加算器により構成することができる。
　　　【０１２０】
　なお、上記したＣＰＵ８２での処理機能の一例として図２５に記載のフローチャートを示したが、これは、上記ハードウエアでの処理との共通化を図るためで、ソフトウエアで処理する場合には、以下に示すように、検出されたマークを基準に処理を行うこともできる。
　　　【０１２１】
　すなわち、マーク位置記憶メモリ８１には検出されたマークの位置座標が格納されているので、位置座標データから任意の２つのマーク間の距離を求めることができる。そこでマーク位置記憶メモリ８１に格納されているあるマークを仮に重心のマーク８ａと仮定し、そのマークからの距離（一定のマージン幅を設けても可）だけ離れた位置に存在するマークを検出し、該当するマークの個数を求める。そして、その個数が一定の範囲内であれば、特定パターンありと判定するようにしても良い。係る処理を行うようにすると、本装置を可動した場合に実際にマークが検知される数が少ないことが予測できる場合には、判定処理を行う回数が少なくて済みより高速処理が図れる。
　　　【０１２２】
　なお、上記した実施例では、重心にマーク８ａが存在し、その重心から所定の距離の外周上にそれと同一形状のマーク８ｂが存在することにより特定パターンが構成されるものについて説明したが、本発明はこれに限ることなく、重心のマーク８ａはなくても良い。係る場合には、図２５のフローチャートにおけるステップ１の処理や、図３１のアンド素子８４ｄを削除することにより、基本的に上記した各実施例をそのまま用いることができる。但し、上述したソフトウエアによるマークを基準とした判定処理ができなくなるので、重心のマーク８ａと外周上に配置されたマーク８ｂの組み合わせから特定パターンを構成するのが好ましい。
　　　【０１２３】
　また、上記した各実施例及び変形例では、いずれも外周上に配置するマーク８ｂを１重の外周上に設定したが、本発明はこれに限ることなく、図３２に示すように、大きさの異なる図形の外周上にそれぞれ所定の同一形状からなるマーク８ｂを配置したものを用いてもよい。
　　　【０１２４】
　また、上記した実施例では、外周上に配置されたマーク８ｂの個数により特定パターンか否かを判断するようにしたが、各マークの角度位置（存在位置）も条件に加えるようにしても良い。
　　　【０１２５】
　すなわち、上記した第２実施例では、図２１に示す１０個のマーク８ｂを有する特定パターン８と図３３に示す１０個のマーク８′ｂを有する特定パターン８′は、同一の特定パターンとして検出されるが、各マークの存在位置も条件に加えることにより、両者は異なるパターンと認識される（図２１に示すパターンが特定パターンとすると、図３３のようなパターンは特定パターンと認識されない）。これにより、判定処理に角度情報が必要となるために、処理速度が低下するものの誤認識するおそれは可及的に減少し、認識率が向上する。
　　　【０１２６】
　そして、係る処理を行うための装置としては、例えば図３４に示す回路により実施できる。すなわち、マークの検出は上記した第２実施例と同様であるのでそのまま用いることができ、本例では特定パターン検知手段の一部が異なる。
　　　【０１２７】
　さらに、本例では、判定処理の高速化を図るために、まず第１実施例に示したように、角度位置は条件にいれずに判定処理（適合度の算出）を行い、係る処理で適合度が高い場合にそのパターン部分を切り出して回転パターンマッチングを行うようにしている。これにより、マッチング対象の切り出し部分を容易に抽出でき、また回転させながら行うマッチング処理を行う回数を減少させることができる。よって高速処理が達せられる。
　　　【０１２８】
　具体的な構成として本例では、ハードウエアで構成した例について示している。そして図示するように、マーク位置認識メモリ８１，フリップフロップ群８３並びに適合度算出手段としての組み合わせ回路８４は上記した第２実施例のものをそのまま用いることができる。そして、組み合わせ回路８４の出力（適合度）を適合度チェック回路（通常の比較器で構成することができる）８５に送り、適合度が一定の基準以上あるか否かを判断する。そして、一定の基準以上ある場合には、画像切り出し制御回路８６に対して切り出し要求信号を送る。
　　　【０１２９】
　画像切り出し制御回路８６では、切り出し要求を受けたならばその時の中心を一致させてマーク位置記憶メモリ８１から所定のエリア内のマークの存在位置情報を呼び出すとともに、次段のマッチング回路８７に送る。
　　　【０１３０】
　マッチング回路８７では、基準パターン記憶部８８に格納されたマークの存在位置と画像切り出し制御回路８６から転送されてきた検出パターンとを比較し、一致するか否かを判断する。そして、切り出し開始位置を一定角度毎に変えて３６０度分行う。そして、いずれかの切り出し開始角度の時に一致した場合には、特定パターンありとし、いずれも一致しない場合には特定パターンなしとの判定結果を出力することになる。また、この時同時に組み合わせ回路８４で算出した適合度も合わせて出力するようにしてももちろん良い。そして、上記画像切り出し制御回路８６並びにマッチング回路８７でマッチング手段が構成される。
　　　【０１３１】
　すなわち、この実施例を用いた画像処理方法では、まずマークの検出を行い、検出したマークの存在位置を記憶する。ここまでの工程は、上記した第２実施例のものと同じである。次に、検出した各マークの存在位置から、複数のマークが所定の位置関係に配置される特定パターンを検出するのであるが、まず、一定の半径上に特定パターンと同一個数のマークを有するパターンの有無（適合度）を求める。すなわち、第２実施例における適合度算出処理と同じ処理を行う。次いで、係る処理の結果適合度が高い場合には、そのパターン部分を切り出して回転パターンマッチングを行う。そして、特定パターンが検出されたなら、複写機本体へ伝え、所定の複写禁止処理をすることになる。
　　　【０１３２】
　また、上記各実施例及び変形例では、いずれも、検出対象の特定パターンは１種類であったが、本発明はこれに限ることなく、複数種の特定パターンを用意し、画像処理装置側ではどの特定パターンを検出したかを認識できるように構成してもよい。これにより、特定パターンにコード情報を付与することができる。
　　　【０１３３】
　すなわち、検出対象の特定パターンとして、例えば図３５〜図３７に示すように、予め異なる特定パターン（外周上に配置するマーク８ｂの数を変える）を用意しておく。そして、係るコード情報を持たせることにより、各特定パターンにそれぞれ別々の意味を持たせることができる。
　　　【０１３４】
　そして、このように特定パターンが複数種存在すると、例えば、同一原稿中の複数位置に上記複数の特定パターンを存在させることにより、それらすべての特定パターン或いは所定数以上の特定パターンが原稿中に存在したときに、複写等の処理を禁止させるようにすることができる。これにより、多重チェックが行え、誤認識の確立がより減少する。すなわち、長期の使用により複写等禁止物中の特定パターンがこすれたり汚れたりして検出しにくくなるような場合であっても、残りの特定パターンを使用して検出することができる。また、逆に一般の原稿中に濃度（特徴量）データにした際に特定パターンと同一のものが存在した場合、検出対象を１つの特定パターンとしておくと、係る場合にも複写等ができなくなるが、複数の特定パターンの一致を条件とすることにより、上記複写等禁止でないものが禁止されてしまうおそれが低下する。
　　　【０１３５】
　さらには、紙幣，有価証券等の種類、或いは紙幣等であればその金額等、それぞれに対応して上記各種のコード情報を付すこともできる。これにより、例えば本システムが稼働し、複写等禁止物に対して複写等の処理をしようとした場合に、どの特定パターンを検知して停止命令等を出したかを記憶しておくことで、本装置・より具体的にはこれが実装された複写機等の実機で、どのような種類のものを複写等したかを知ることができるなどのほか、種々の利用方法が提供できる。
　　　【０１３６】
　そして、係る特定パターンを検出するための具体的な装置としては、例えば図３８に示す構成のものを用いることができる。この例でも、マークの検出は上記した第２実施例と同様であるのでそのまま用いることができ、本例では特定パターン検知手段の一部が異なる。そして、その変更点のみ説明すると、図３８に示すように、組み合わせ回路８４′に、上限・下限設定部８４ｇを追加する。
　　　【０１３７】
　そこで、上限・下限設定部８４ｇでは、各パターン図３５〜図３７に示すパターン（Ａ）〜（Ｃ）に応じた上限値と下限値を比較器８４ｃの基準値にセットする。すなわち、図３５（パターン（Ａ））ではマーク８ｂが３個，図３６（パターン（Ｂ））ではマーク８ｂが５個，図３７（パターン（Ｃ））ではマーク８ｂが７個となっている。よって、各パターンの数に対応して所定のマージンを加算・減算して得られる上限・下限値をセットする。そして本例では、ともに±１のマージンを取るようにしている。また、これとともにどのパターンに対する基準値をセットしたかのコード情報を合わせて出力する。なお、その他の構成は上記した図３１に示す回路と同様であるので、同一符号を付してその各部の機能の説明を省略する。
　　　【０１３８】
　そして、この実施例を用いた画像処理方法では、まずマークの検出を行い、検出したマークの存在位置を記憶する。ここまでの工程は、上記した第２実施例のものと同じである。次に、検出した各マークの存在位置に応じてフリップフロップ群８３の各フリップフロップにセットする。そして、乗算器８４ａで各フリップフロップの出力に所定の係数を掛け、０以外の値を計数器８４ｂでカウントする。また、乗算器８４ａの出力結果を加算器８４ｅで加算して係数の総和を求めた後、除算器８４ｆに入力する点でも第２実施例と共通する。
　　　【０１３９】
　ここで本例では、予め用意されたすべての特定パターンに対するマークの個数の上限値と下限値を上限・下限設定部８４ｇから順次与え、その都度適合度や有効／無効の判定を行う。そして、例えば正規の個数に対して±１のマージンを与えるとする。すると、例えば（Ｂ）の特定パターンが検出されている場合には、計数器８４ｂの出力は「５」となる。一方、上限・下限設定部８４ｇは、（Ａ）についての上限・下限値としてそれぞれ「４」，「２」を比較器８４ｃにセットする。よって比較器８４ｃの出力は０（Ｌ）となり、アンド素子８４ｄからは無効フラグが出力される。また、この時上限・下限設定部８４ｇからはコード情報として（Ａ）が出力されている。よって、特定パターン（Ａ）でないことが分かる。
　　　【０１４０】
　次に、上限・下限設定部８４ｇは、（Ｂ）についての上限・下限値としてそれぞれ「６」，「４」を比較器８４ｃにセットする。よって比較器８４ｃの出力は１（Ｈ）となり、アンド素子８４ｄからは有効フラグが出力される。また、この時上限・下限設定部８４ｇからはコード情報として（Ｂ）が出力されている。よって、特定パターン（Ｂ）は有効で、その時の適合度が除算器８４ｆより出力されるので、適合度が高ければ、特定パターン（Ｂ）があると認識される。
　　　【０１４１】
　さらに、上限・下限設定部８４ｇは、（Ｃ）についての上限・下限値としてそれぞれ「８」，「６」を比較器８４ｃにセットする。よって比較器８４ｃの出力は０（Ｌ）となり、アンド素子８４ｄからは無効フラグが出力される。また、この時上限・下限設定部８４ｇからはコード情報として（Ｃ）が出力されている。よって、特定パターン（Ｃ）でないことが分かる。これにより、どの特定パターンが検出されたのかが分かり、係る検出に基づき所定の処理を行う。
　　　【０１４２】
　また、このようなコード情報を付した特定パターンとしては、上記した例の他に例えば図３９，図４０，図４１（パターンＡ，Ｂ，Ｃ）に示すように、マーク８ｂの数は同じにし、そのマークの配置箇所の位置関係を変えることにより行うようにしてもよい。そしてこれは、図３４に示した回転角度まで条件にして特定パターンを特定・検出する方式のものを利用することにより対応できる。
　　　【０１４３】
　係る異なる特定パターンを検出し、コード情報として出力するための具体的な構成としては、特定パターン検知手段の構成を図４２に示すようにすることにより適用できる（図示省略するが、マーク検知手段は上記した各実施例のものをそのまま用いることができる）。
　　　【０１４４】
　すなわち、基本的な構成は図３４に示すものと同様で、マーク検知手段２により検出されマーク位置認識メモリ８１に格納されたマークの位置データに基づいてフリップフロップ群８３を構成する各フリップフロップに所定の値をセットし、そのフリップフロップの出力を組み合わせ回路８４に送り、適合度を求める。そして、その算出した適合度を適合度チェック回路８５に送り、適合度が一定の基準以上ある場合には画像切り出し制御回路８６に対して切り出し要求信号を送る。
　　　【０１４５】
　そして画像切り出し制御回路８６では、切り出し要求を受けたならばその時の中心を一致させてマーク位置記憶メモリ８１から所定のエリア内のマークの存在位置情報を呼び出すとともに、次段のマッチング回路８７に送る。
　　　【０１４６】
　そしてマッチング回路８７では、画像切り出し制御回路８６から転送されてきた検出パターンと、所定の基準パターンとを比較しマッチングをとるのであるが、この時、各パターン（Ａ）〜（Ｃ）に応じた基準パターンをそれぞれ辞書８６ａ〜８６ｃに格納しておき、マッチング回路８７では、１つの検出パターンに対し、それぞれ各辞書８６ａ〜８６ｃに格納された基準パターンを順に比較し、一致するか否かを判断する。そして、切り出し開始位置を一定角度毎に変えて３６０度分行う。そして、いずれかの切り出し開始角度の時に一致した場合には、その一致した基準パターンについてのコード情報を出力する。
　　　【０１４７】
　なお、いずれも一致しない場合には特定パターンなしとの判定結果を出力することになる。また、この時同時に組み合わせ回路８４で算出した適合度も合わせて出力するようにしてももちろん良い。
　　　【０１４８】
　そして、この実施例を用いた画像処理方法では、上記マークの数を変えることにより特定パターンにコード情報を付したものと基本的に同じである。そして異なる点のみ説明すると、具体的にどの特定パターンかを判定する際に、一定の半径上に特定パターンと同一個数のマークを有するパターンの有無（適合度）を求める。次いで、係る処理の結果適合度が高い場合には、そのパターン部分を切り出して回転パターンマッチングを行う。そして、回転マッチングの際に使用する基準パターンを特定パターンの種類に応じて複数用意し、各パターンと比較し、一致した時の基準パターンのコード情報を出力する。これにより、どの特定パターンが検出されたのかが分かり、係る検出に基づき所定の処理を行う。
　　　【０１４９】
　なお、上記した各実施例（特定パターンが複数の同一のマークから構成されるもの）についても、図１５，図１６に示す複写機に適用できるのはもちろんである。
　　　【０１５０】
　なおまた、上記した各実施例ではいずれも複写機に適用するものについて説明したが、本発明はこれに限ることはなく、例えばカラースキャナー，カラープリンター，ＦＡＸ，通信伝送装置その他種々の装置に適用できるのはもちろんである。
　　　【０１５１】
　その一例を示すと、スキャナーとしては、図４３に示すような構成をとることができる。すなわち、スキャナーは、大別すると入力部９０と制御部９１と出力部９２とにより構成されている。そして入力部９０では、原稿を光源からの光で走査し、そこから得られる反射（透過光）をＣＣＤ，フォトマル，フォトダイオード等の光電変換素子にて検出し、電気信号に変換して制御部９１に送るようになっている。そして制御部９１では、入力部からの電気信号を増減し、所定の階調補正，輪郭強調などの画像処理を行い、その補正後の信号を出力部９２へ送るようになっている。さらに、出力部９２では、制御部９１から与えられた信号を元に、必要に応じてデータ変換をして所定の出力装置へ出力するようになっている。すなわち、スキャナーとプリンターとが分離されている（純粋な読取りのみ行う）場合には、別途形成されたプリンター等へ情報を送るため、一時的に読み取った画像データを記憶装置（出力装置）に格納する必要があるので、係る書き込み処理に必要な所定の処理を行うことになる。また、出力装置がプリンター等（一体の装置内に配置されている）の場合には、所定の電気−光変換を行い、紙媒体（感光材料）上に書き込むための所定の信号変換処理を行う。なお、各部の具体的な構成は、従来の公知の一般のものを用いることができるので、その詳細な説明を省略する。
　　　【０１５２】
　ここで本発明では、画像処理装置９３を設け、上記入力部９０から得られた画像データに関する信号を制御部９１とともに画像処理装置９３にも入力するようにする。この画像処理装置９３は、上記した各実施例並びに変形例に示した最終的に所定の特定パターンを検知するための各種の処理装置を用いることができる。そして、画像処理装置９３では、与えられた画像データに基づいて特定パターン検出のための所定の処理（上記各説明した処理）を行ない、特定パターンを検出したならば、制御部９１に対して出力禁止信号を送るようになる。そして、これにより制御部９１ではその出力禁止信号に基づいて出力部９２への信号出力を停止する。なお、係る禁止信号は、入力部９０や出力部９２に対して与えるようにしても良い。
　　　【０１５３】
　図４４は、プリンターに用いた例を示している。すなわち、スキャナーから直接或いは記憶装置などの媒体を介して画像データ（電気信号）が入力部９４へ与えられる。すると、制御部９５で所定の画像変換処理（自己の出力機構に応じたデータに変換する）を行った後、出力部９６にて所定の電気−光変換処理を行い、感光材料上に与えられた画像データを再現するようになっている。
　　　【０１５４】
　ところで、上記したようにスキャナー側に特定パターンの検出処理に伴う作業停止手段を有する画像処理装置９３を備えていないような場合には、原稿が読み取り禁止画像であっても画像データを読み込んでしまう。
　　　【０１５５】
　そこで、制御部９５の出力信号を画像処理装置９７（上記画像処理装置９３と等価）に与え、そこにおいて所定の画像処理を行い特定パターンの検出処理を行う。そして、特定パターンが検出されたならば、制御部９５に対して出力禁止信号を送り、制御部９５から出力部９６へのデータ出力を停止する。また、出力部９６に対して直接動作禁止信号を送り、出力部９６を停止させるようにしてもよい。
　　　【０１５６】
　　【発明の効果】
　以上のように、本発明に係る画像処理方法及び装置並びにそれを用いた複写機では、複写（印刷）禁止物等の全体（外形状）の大きさに関係なく、その物体の一部に有する特定パターンに着目し、その特定パターンを有するか否かにより検出を行うため、使用するメモリ容量が少なくて済み、コスト安となる。しかも、１回のスキャンで特定パターンの位置を正確に検出し、その後に行うスキャン或いは同時に行っているスキャン時に特定パターンを切り出して、所定の判定処理を行うことができる。
　　　【０１５７】
　また、位置決め用マークの周囲にそれと同一または類似のダミーマークを配置するようにした場合には、人間がみて、本物の位置決め用マークの特定が困難となり、改竄される可能性が可及的に減少する。そして、特定パターンを位置決め用マークと同一または類似のマークで構成した場合には、係る改竄抑制効果がより向上するとともに、複数種の検出対象物に共通の特定パターンとすることができ、係る場合には、その共通の特定パターンに対する知識を有しておくだけで、現像する複数種の検出対象物はもちろんのこと、その後に出現する新たな複写等禁止物に対しても係る複写等禁止物にその特定パターンを付すだけで検出することができ、しかも記憶保持する知識は少なくて済むので、メモリ容量の削減並びに処理対象のパターンが少なくて済むため高速処理が可能となる。
　　　【０１５８】
　また、３個以上の位置決め用マークを所定位置に配置し、それらを結ぶ線により形成される形状が二等辺三角形或いは非対象形状であれば、各マークの位置から特定パターンの存在位置が一義的で簡単かつ正確に求めることができるので、その後の特定パターンか否かの判定が高速に行える。
　　　【０１５９】
　さらに、位置決め用マーク検出手段が、与えられた画像データを２値化する２値化処理手段と、２値化データに対してｎ×ｍに分割されたマスクを用いて検索する検索手段とから構成した場合には、簡単な回路（ハードウエア）で検出が可能であるので、さらなる高速処理が可能となる。そして、位置決め用マークは小さくて済むので、ハードウエアで構成してもさほど大型・複雑化しない。
　　　【０１６０】
　さらに照合手段を類似度演算、より具体的にファジィ推論により行うようにした場合には、特定パターンの位置ずれや印刷むらなどにより基準としたパターンと実際の原稿上に存在するパターンにずれがあっても、確実に認識することができる。そして、同様の理由から、位置決め用マークと特定パターンとの距離を離しても、ファジィ推論（ファジィパターンマッチング）を用いると、位置決め精度の低下による悪影響（認識率低下）を生じない。
　　　【０１６１】
　また、前記照合手段を、切り出された領域をＮ分割するとともに分割された各セルの濃度判定結果からデコードし、前記デコードされた情報が予め求めた検出対象の基準コード情報と一致するか否かを判定するようにした場合には、一致した場合に検出信号を出力するような比較手段で構成することができ、構成が簡単で、高速判定処理できる。
　　　【０１６２】
　また、位置決め用マークを用いずに同一の複数のマークを所定の位置関係に配置して特定パターンを構成した場合には、上記した各種の効果に加え、マーク検知手段でのマークの検出処理は、上記した位置決め用マークの検出とほぼ同一の処理により行え、マーク自体の効果は、上記した位置決め用マークのそれと同様のものを発揮することができる。
　　　【０１６３】
　そして、係る画像処理装置を複写機，スキャナー，プリンターに実装することにより、紙幣，有価証券等の複写等禁止物に対し、確実にその複写物の出力を禁止（複写自体を行わない，原稿（複写禁止物）と異なる画像を複写・出力する等）し、また、係る原稿の読み取りや印刷を停止することができる。
【図面の簡単な説明】
　　　　【図１】
　画像処理装置の一例の全体構成を示す図である。
　　　　【図２】
　図１に示す例で用いられる位置決め用マーク，ダミーマーク及び特定パターンの一例を示す図である。
　　　　【図３】
　図１に示す例で用いられる位置決め用マーク，ダミーマーク及び特定パターンの他の例を示す図である。
　　　　【図４】
　図１に示す例で用いられる位置決め用マーク，ダミーマーク及び特定パターンのさらに他の例を示す図である。
　　　　【図５】
　位置決め用マーク検知手段の内部構成を示すブロック図である。
　　　　【図６】
　その検知手段におけるフリップフロップ群の内部構成を示すブロック図である。
　　　　【図７】
　その検知手段におけるデコード回路の内部構成を示すブロック図である。
　　　　【図８】
　位置決め用マーク及びダミーマークのドットパターンの一例を示す図である。
　　　　【図９】
　特定パターン切り出し手段及び特定パターンマッチング手段の内部構成を示すブロック図である。
　　　　【図１０】
　特定パターン切り出し手段の作用を説明する図である。
　　　　【図１１】
　特定パターン切り出し手段の一部を構成する制御用ＣＰＵの機能を示すフローチャート図である。
　　　　【図１２】
　特定パターンマッチング手段の機能を示すフローチャート図である。
　　　　【図１３】
　特定パターンマッチング手段の作用を示す図である。
　　　　【図１４】
　特定パターンマッチング手段におけるルールメモリ及びＭＦメモリに格納されるルール，メンバシップ関数の一例を示す図である。
　　　　【図１５】
　本発明に係る複写機の一例を示す図である。
　　　　【図１６】
　本発明に係る複写機の一例を示す図である。
　　　　【図１７】
　位置決め用マークとダミーマークを色を変えることにより分離するようにした場合における位置決め用マークを検出するための２値化回路の一例を示す図である。
　　　　【図１８】
　位置決め用マークとダミーマークのさらに他の例を示す図である。
　　　　【図１９】
　特定パターンの他の例を示す図である。
　　　　【図２０】
　本発明に係る画像処理装置の好適な一実施例の全体構成を示す図である。
　　　　【図２１】
　図２０に示す実施例で使用する特定パターンの一例を示す図である。
　　　　【図２２】
　マーク検知手段の内部構成を示すブロック図である。
　　　　【図２３】
　マーク検知手段の作用を示す図である。
　　　　【図２４】
　特定パターン検知手段の内部構成を示すブロック図である。
　　　　【図２５】
　ＣＰＵの機能を示すフローチャート図である。
　　　　【図２６】
　特定パターン検知手段の作用を説明する図である。
　　　　【図２７】
　特定パターン検知手段の作用を説明する図である。
　　　　【図２８】
　特定パターン検知手段の作用を説明する図である。
　　　　【図２９】
　特定パターン検知手段の作用を説明する図である。
　　　　【図３０】
　特定パターン検知手段の他の内部構成を示すブロック図である。
　　　　【図３１】
　組み合わせ回路の内部構成を示す図である。
　　　　【図３２】
　特定パターンの他の例を示す図である。
　　　　【図３３】
　特定パターンの他の例を示す図である。
　　　　【図３４】
　特定パターン検知手段のさらに他の内部構成を示すブロック図である。
　　　　【図３５】
　特定パターンにコード情報を付した例について説明する図である。
　　　　【図３６】
　特定パターンにコード情報を付した例について説明する図である。
　　　　【図３７】
　特定パターンにコード情報を付した例について説明する図である。
　　　　【図３８】
　図３５〜図３７に示すコード情報付きの特定パターンを検出するための特定パターン検知手段の内部構成の要部を示すブロック図である。
　　　　【図３９】
　特定パターンにコード情報を付した他の例について説明する図である。
　　　　【図４０】
　特定パターンにコード情報を付した他の例について説明する図である。
　　　　【図４１】
　特定パターンにコード情報を付した他の例について説明する図である。
　　　　【図４２】
　図３９〜図４１に示すコード情報付きの特定パターンを検出するための特定パターン検知手段の内部構成の要部を示すブロック図である。
　　　　【図４３】
　本発明に係るスキャナーの一例を示す図である。
　　　　【図４４】
　本発明に係るプリンターの一例を示す図である。
　　　　【図４５】
　従来の画像処理装置の動作を説明する図である。
　　　　【図４６】
　従来の問題を解決するための一案を説明する図である。
　　　　【符号の説明】
　１　位置決め用マーク検知手段
　２　特定パターン切り出し手段
　３　特定パターンマッチング手段（照合手段）
　４，４ａ〜４ｄ　位置決め用マーク
　５，４′ａ〜４′ｃ　ダミーマーク
　６，６′　特定パターン
　８，８′　特定パターン
　８ａ　マーク（中心）
　８ｂ　マーク
　１１　２値化処理処理部（２値化処理手段）
　１３　検索部（検索手段）
　１３ａ　フリップフロップ群（ｎ×ｍに分割されたマスクを構成）
　１３ｂ　座標出力回路（座標データを検出するもの）
　１３ｃ　デコード回路（位置決め用マークと同一のマークを検出するもの）
　１３ｄ　判定部（座標データを検出するもの）
　７０　マーク検知手段
　７１　２値化処理処理部（２値化処理手段）
　７３　検索部（検索手段）
　７３ａ　フリップフロップ群（ｎ×ｍに分割されたマスクを構成）
　７３ｂ　座標出力回路（座標データを検出するもの）
　７３ｃ　デコード回路（位置決め用マークと同一のマークを検出するもの）
　８０　特定パターン検知手段
　８１　マーク位置記憶メモリ
　８２　ＣＰＵ
　８３　フリップフロップ
　８４　組み合わせ回路（適合度算出手段）
　８６　画像切り出し制御回路（マッチング手段）
　８７　マッチング回路（マッチング手段）
　８８，８８ａ〜８８ｃ　所定の基準パターンが格納された辞書
　９０　入力部
　９１　制御部
　９２　出力部
　９３　画像処理装置
　９５　制御部
　９６　出力部
　９７　画像処理装置